(57)【要約】【課題】サイネージシステムにおいて、画像データとテロップデータとを含む配信コンテンツのテロップを編集した際に、画像データの再生時間とテロップデータの再生時間を一致させることでユーザの利便性を向上させる技術を提供する。【解決手段】サイネージシステムを構成するサイネージ編集装置は、画像データの表示の設定とテロップデータの表示の設定とを示す番組情報を記憶しており、ユーザの入力操作に応じてテロップデータを編集する。サイネージ編集装置は、テロップデータの再生時間の長さを取得し、画像データの再生時間とテロップデータの再生時間とを比較して、これら再生時間が一致するよう、番組情報に示される各種の設定を更新する。配信サーバは、番組情報に基づいて、画像データおよびテロップデータの再生時間が同期している配信コンテンツを生成してサイネージ表示端末へ配信する。【選択図】図１３
2015070601.tif 000002
【特許請求の範囲】
【請求項１】
コンテンツを配信する配信サーバと、前記コンテンツを再生する表示端末と、前記コンテンツの構成を編集する編集装置とにより構成されるシステムであって、
前記コンテンツは、静止画または動画の少なくともいずれかが表示される画像ペインと、文字が表示されるテロップペインとを含んでおり、
前記配信サーバは、
１以上の画像データと、１以上のテロップデータとを記憶する原データ記憶部を備え、
前記編集装置は、
前記画像ペインに表示されるべき画像データの表示の設定および前記テロップペインに表示されるべきテロップデータの表示の設定を示す番組情報を記憶するための記憶部と、
前記番組情報に示される前記テロップデータを編集するための入力操作を受け付ける操作受付部と、
前記編集装置の動作を制御するための制御部とを備え、
前記制御部は、前記操作受付部により受け付けた前記テロップデータの編集の内容に応じて前記番組情報を更新する番組情報編集部と、
前記更新された番組情報を前記配信サーバへ送信する送信制御部とを含み、
前記配信サーバは、
前記編集装置によって更新された番組情報を前記編集装置から受信する受信部と、
前記受信した前記番組情報に基づいて、前記テロップデータの再生時間と前記画像データの再生時間とが同期した前記コンテンツを生成する生成部と、
前記生成されたコンテンツを前記表示端末に配信する配信部とを備える、システム。
【請求項２】
前記編集装置の前記番組情報編集部は、
前記テロップデータの編集を前記操作受付部により受け付けた場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新する、請求項１に記載のシステム。
【請求項３】
前記編集装置の前記番組情報編集部が前記テロップデータの再生時間を取得することは、前記番組情報編集部が、前記テロップデータの表示の設定に示されるテロップのテキストとテロップのスクロールスピードとに基づいて、前記テロップデータの再生時間を算出することを含み、
前記番組情報に示される前記画像データの再生時間と前記テロップデータの再生時間とが同期するよう前記設定を更新することは、前記画像データの再生時間に一致するよう、前記テロップデータのフォントの設定と、前記テロップデータの表示効果の設定とのうち少なくともいずれかを変更することを含む、請求項２に記載のシステム。
【請求項４】
前記編集装置の前記番組情報編集部が前記番組情報に示される前記画像データの再生時間と前記テロップデータの再生時間とが同期するよう前記設定を更新することは、前記番組情報編集部が、前記テロップデータの再生時間に一致するよう、前記画像データを表示する時間と、前記画像データの表示に伴う特殊効果に要する時間とのうち少なくともいずれか一方を変更することを含む、請求項２に記載のシステム。
【請求項５】
前記配信サーバの前記生成部は、
前記受信部により前記番組情報を前記編集装置から受信した場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新し、
更新後の番組情報に基づいて前記コンテンツを生成する、請求項１に記載のシステム。
【請求項６】
前記配信サーバの前記生成部が前記テロップデータの再生時間を取得することは、前記生成部が、前記テロップデータの表示の設定に示されるテロップのテキストとテロップのスクロールスピードとに基づいて、前記テロップデータの再生時間を算出することを含み、
前記番組情報に示される前記画像データの再生時間と前記テロップデータの再生時間とが同期するよう前記設定を更新することは、前記画像データの再生時間に一致するよう、前記テロップデータのフォントの設定と、前記テロップデータの表示効果の設定とのうち少なくともいずれかを変更することを含む、請求項５に記載のシステム。
【請求項７】
前記配信サーバの前記生成部が前記番組情報に示される前記画像データの再生時間と前記テロップデータの再生時間とが同期するよう前記設定を更新することは、前記生成部が、前記テロップデータの再生時間に一致するよう、前記画像データを表示する時間と、前記画像データの表示に伴う特殊効果に要する時間とのうち少なくともいずれか一方を変更することを含む、請求項５に記載のシステム。
【請求項８】
コンテンツを配信する配信サーバと、前記コンテンツを再生する表示端末と、前記コンテンツの構成を編集して前記コンテンツを生成する編集装置とにより構成されるシステムであって、
前記コンテンツは、静止画または動画の少なくともいずれかが表示される画像ペインと、文字が表示されるテロップペインとを含んでおり、
前記編集装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部と、
前記番組情報に示される前記テロップデータを編集するための入力操作を受け付ける操作受付部と、
前記編集装置の動作を制御するための制御部とを備え、
前記制御部は、前記操作受付部により受け付けた前記テロップデータの編集の内容に応じて前記番組情報を更新する番組情報編集部と、
前記更新された番組情報に基づいて、前記テロップデータの再生時間と前記画像データの再生時間とが同期した前記コンテンツを生成する生成部と、
前記生成されたコンテンツを前記配信サーバへ送信する送信部とを含み、
前記配信サーバは、
前記編集装置によって生成された前記コンテンツを受信する受信部と、
前記受信したコンテンツを前記表示端末に配信する配信部とを備える、システム。
【請求項９】
前記編集装置の前記番組情報編集部は、
前記テロップデータの編集を前記操作受付部により受け付けた場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新し、
前記生成部は、前記更新された番組情報に基づいて前記コンテンツを生成する、請求項８に記載のシステム。
【請求項１０】
前記編集装置の前記番組情報編集部が前記テロップデータの再生時間を取得することは、前記番組情報編集部が、前記テロップデータの表示の設定に示されるテロップのテキストとテロップのスクロールスピードとに基づいて、前記テロップデータの再生時間を算出
することを含み、
前記番組情報に示される前記画像データの再生時間と前記テロップデータの再生時間とが同期するよう前記設定を更新することは、前記画像データの再生時間に一致するよう、前記テロップデータのフォントの設定と、前記テロップデータの表示効果の設定とのうち少なくともいずれかを変更することを含み、
前記生成部は、前記更新された番組情報に基づいて前記コンテンツを生成する、請求項９に記載のシステム。
【請求項１１】
前記編集装置の前記番組情報編集部が前記番組情報に示される前記画像データの再生時間と前記テロップデータの再生時間とが同期するよう前記設定を更新することは、前記番組情報編集部が、前記テロップデータの再生時間に一致するよう、前記画像データを表示する時間と、前記画像データの表示に伴う特殊効果に要する時間とのうち少なくともいずれか一方を変更することを含み、
前記生成部は、前記更新された番組情報に基づいて前記コンテンツを生成する、請求項９に記載のシステム。
【請求項１２】
コンテンツの構成を編集し、編集結果に基づき前記コンテンツを生成し、生成したコンテンツを配信するコンテンツ管理装置と、前記コンテンツを再生する表示端末とにより構成されるシステムであって、
前記コンテンツは、静止画または動画の少なくともいずれかが表示される画像ペインと、文字が表示されるテロップペインとを含んでおり、
前記コンテンツ管理装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部と、
前記番組情報に示される前記テロップデータを編集するための入力操作を受け付ける操作受付部と、
前記コンテンツ管理装置の動作を制御するための制御部とを備え、
前記制御部は、前記操作受付部により受け付けた前記テロップデータの編集の内容に応じて前記番組情報を更新する番組情報編集部と、
前記更新された番組情報に基づいて、前記テロップデータの再生時間と前記画像データの再生時間とが同期した前記コンテンツを生成する生成部と、
前記生成されたコンテンツを前記表示端末へ配信する配信部とを含み、
前記表示端末は、
前記コンテンツ管理装置から配信されるコンテンツを受信する受信部と、
前記受信したコンテンツを表示するための表示部とを備える、システム。
【請求項１３】
前記コンテンツ管理装置の前記番組情報編集部は、
前記テロップデータの編集を前記操作受付部により受け付けた場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新し、
前記生成部は、前記更新された番組情報に基づいて前記コンテンツを生成する、請求項１２に記載のシステム。
【請求項１４】
前記コンテンツ管理装置の前記番組情報編集部が前記テロップデータの再生時間を取得することは、前記番組情報編集部が、前記テロップデータの表示の設定に示されるテロップのテキストとテロップのスクロールスピードとに基づいて、前記テロップデータの再生時間を算出することを含み、
前記番組情報に示される前記画像データの再生時間と前記テロップデータの再生時間とが同期するよう前記設定を更新することは、前記画像データの再生時間に一致するよう、前記テロップデータのフォントの設定と、前記テロップデータの表示効果の設定とのうち少なくともいずれかを変更することを含み、
前記生成部は、前記更新された番組情報に基づいて前記コンテンツを生成する、請求項１３に記載のシステム。
【請求項１５】
前記コンテンツ管理装置の前記番組情報編集部が前記番組情報に示される前記画像データの再生時間と前記テロップデータの再生時間とが同期するよう前記設定を更新することは、前記番組情報編集部が、前記テロップデータの再生時間に一致するよう、前記画像データを表示する時間と、前記画像データの表示に伴う特殊効果に要する時間とのうち少なくともいずれか一方を変更することを含み、
前記生成部は、前記更新された番組情報に基づいて前記コンテンツを生成する、請求項１３に記載のシステム。
【請求項１６】
コンテンツを配信する配信サーバと、前記コンテンツを再生する表示端末と、前記コンテンツの構成を編集する編集装置とを含むシステムを構成する前記編集装置であって、
前記コンテンツは、静止画または動画の少なくともいずれかが表示される画像ペインと、文字が表示されるテロップペインとを含んでおり、
前記配信サーバは、
１以上の画像データと、１以上のテロップデータとを記憶する原データ記憶部を備え、
前記編集装置は、
前記画像ペインに表示されるべき画像データの表示の設定および前記テロップペインに表示されるべきテロップデータの表示の設定を示す番組情報を記憶するための記憶部と、
前記番組情報に示される前記テロップデータを編集するための入力操作を受け付ける操作受付部と、
前記編集装置の動作を制御するための制御部とを備え、
前記制御部は、前記操作受付部により受け付けた前記テロップデータの編集の内容に応じて前記番組情報を更新する番組情報編集部と、
前記更新された番組情報を前記配信サーバへ送信する送信制御部とを含み、
前記配信サーバは、
前記編集装置によって更新された番組情報を前記編集装置から受信する受信部と、
前記受信した前記番組情報に基づいて、前記テロップデータの再生時間と前記画像データの再生時間とが同期した前記コンテンツを生成する生成部と、
前記生成されたコンテンツを前記表示端末に配信する配信部とを備え、
前記編集装置の前記番組情報編集部は、
前記テロップデータの編集を前記操作受付部により受け付けた場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新する、編集装置。
【請求項１７】
コンテンツを配信する配信サーバと、前記コンテンツを再生する表示端末と、前記コンテンツの構成を編集する編集装置とを含むシステムを構成する前記配信サーバであって、
前記コンテンツは、静止画または動画の少なくともいずれかが表示される画像ペインと、文字が表示されるテロップペインとを含んでおり、
前記配信サーバは、１以上の画像データと、１以上のテロップデータとを記憶する原データ記憶部を備え、
前記編集装置は、
前記画像ペインに表示されるべき画像データの表示の設定および前記テロップペインに
表示されるべきテロップデータの表示の設定を示す番組情報を記憶するための記憶部と、
前記番組情報に示される前記テロップデータを編集するための入力操作を受け付ける操作受付部と、
前記編集装置の動作を制御するための制御部とを備え、
前記制御部は、前記操作受付部により受け付けた前記テロップデータの編集の内容に応じて前記番組情報を更新する番組情報編集部と、
前記更新された番組情報を前記配信サーバへ送信する送信制御部とを含み、
前記配信サーバは、
前記編集装置によって更新された番組情報を前記編集装置から受信する受信部と、
前記受信した前記番組情報に基づいて、前記テロップデータの再生時間と前記画像データの再生時間とが同期した前記コンテンツを生成する生成部と、
前記生成されたコンテンツを前記表示端末に配信する配信部とを備え、
前記生成部は、前記受信部により前記番組情報を前記編集装置から受信した場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新し、更新後の番組情報に基づいて前記コンテンツを生成する、配信サーバ。
【請求項１８】
コンテンツを配信する配信サーバと、前記コンテンツを再生する表示端末と、前記コンテンツの構成を編集して前記コンテンツを生成する編集装置とにより構成されるシステムの前記編集装置であって、
前記コンテンツは、静止画または動画の少なくともいずれかが表示される画像ペインと、文字が表示されるテロップペインとを含んでおり、
前記編集装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部と、
前記番組情報に示される前記テロップデータを編集するための入力操作を受け付ける操作受付部と、
前記編集装置の動作を制御するための制御部とを備え、
前記制御部は、前記操作受付部により受け付けた前記テロップデータの編集の内容に応じて前記番組情報を更新する番組情報編集部と、
前記更新された番組情報に基づいて、前記テロップデータの再生時間と前記画像データの再生時間とが同期した前記コンテンツを生成する生成部と、
前記生成されたコンテンツを前記配信サーバへ送信する送信部とを含む、編集装置。
【請求項１９】
コンテンツの構成を編集し、編集結果に基づき前記コンテンツを生成し、生成したコンテンツを配信するコンテンツ管理装置と、前記コンテンツを再生する表示端末とを含むシステムを構成するコンテンツ管理装置であって、
前記コンテンツは、静止画または動画の少なくともいずれかが表示される画像ペインと、文字が表示されるテロップペインとを含んでおり、
前記コンテンツ管理装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部と、
前記番組情報に示される前記テロップデータを編集するための入力操作を受け付ける操作受付部と、
前記コンテンツ管理装置の動作を制御するための制御部とを備え、
前記制御部は、前記操作受付部により受け付けた前記テロップデータの編集の内容に応じて前記番組情報を更新する番組情報編集部と、
前記更新された番組情報に基づいて、前記テロップデータの再生時間と前記画像データの再生時間とが同期した前記コンテンツを生成する生成部と、
前記生成されたコンテンツを前記表示端末に表示させるため、前記コンテンツ管理装置の外部へ前記コンテンツを出力する配信部とを含む、コンテンツ管理装置。
【請求項２０】
コンテンツの構成を編集し、編集結果に基づき前記コンテンツを生成し、生成したコンテンツを表示するコンテンツ管理装置であって、
前記コンテンツは、静止画または動画の少なくともいずれかが表示される画像ペインと、文字が表示されるテロップペインとを含んでおり、
前記コンテンツ管理装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部と、
前記番組情報に示される前記テロップデータを編集するための入力操作を受け付ける操作受付部と、
モニタと、
前記コンテンツ管理装置の動作を制御するための制御部とを備え、
前記制御部は、前記操作受付部により受け付けた前記テロップデータの編集の内容に応じて前記番組情報を更新する番組情報編集部と、
前記更新された番組情報に基づいて、前記テロップデータの再生時間と前記画像データの再生時間とが同期した前記コンテンツを生成する生成部と、
前記生成されたコンテンツを前記モニタへ表示する表示制御部とを含む、コンテンツ管理装置。
【請求項２１】
コンテンツを配信する配信サーバと、前記コンテンツを再生する表示端末と、前記コンテンツの構成を編集する編集装置とにより構成されるシステムにおけるコンテンツ配信方法であって、
前記コンテンツは、静止画または動画の少なくともいずれかが表示される画像ペインと、文字が表示されるテロップペインとを含んでおり、
前記配信サーバは、
１以上の画像データと、１以上のテロップデータとを記憶する原データ記憶部を備え、
前記編集装置は、
前記画像ペインに表示されるべき画像データの表示の設定および前記テロップペインに表示されるべきテロップデータの表示の設定を示す番組情報を記憶するための記憶部を備え、
前記コンテンツ配信方法は、
前記編集装置が、前記前記番組情報に示される前記テロップデータを編集するための入力操作を受け付けるステップと、
前記編集装置が、前記入力操作を受け付けるステップにより受け付けた前記テロップデータの編集の内容に応じて前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新することで前記番組情報を更新するステップと、
前記編集装置が、前記更新された番組情報を前記配信サーバへ送信するステップと、
前記配信サーバが、前記編集装置によって更新された番組情報を前記編集装置から受信するステップと、
前記配信サーバが、前記受信した前記番組情報に基づいて、前記テロップデータの再生時間と前記画像データの再生時間とが同期した前記コンテンツを生成するステップと、
前記配信サーバが、前記生成されたコンテンツを前記表示端末に配信するステップとを含む、コンテンツ配信方法。
【請求項２２】
コンテンツを配信する配信サーバと、前記コンテンツを再生する表示端末と、前記コンテンツの構成を編集する編集装置とにより構成されるシステムにおけるコンテンツ配信方法であって、
前記コンテンツは、静止画または動画の少なくともいずれかが表示される画像ペインと、文字が表示されるテロップペインとを含んでおり、
前記配信サーバは、
１以上の画像データと、１以上のテロップデータとを記憶する原データ記憶部を備え、
前記編集装置は、
前記画像ペインに表示されるべき画像データの表示の設定および前記テロップペインに表示されるべきテロップデータの表示の設定を示す番組情報を記憶するための記憶部を備え、
前記コンテンツ配信方法は、前記編集装置が、前記前記番組情報に示される前記テロップデータを編集するための入力操作を受け付けるステップと、
前記編集装置が、前記入力操作を受け付けるステップにより受け付けた前記テロップデータの編集の内容に応じて前記番組情報を更新するステップと、
前記編集装置が、前記更新された番組情報を前記配信サーバへ送信するステップと、
前記配信サーバが、前記編集装置によって更新された番組情報を前記編集装置から受信するステップと、
前記配信サーバが、前記受信した前記番組情報に基づいて、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新し、更新後の番組情報に基づいて前記コンテンツを生成するステップと、
前記配信サーバが、前記生成されたコンテンツを前記表示端末に配信するステップとを含む、コンテンツ配信方法。
【請求項２３】
コンテンツを配信する配信サーバと、前記コンテンツを再生する表示端末と、前記コンテンツの構成を編集して前記コンテンツを生成する編集装置とにより構成されるシステムにおけるコンテンツ配信方法であって、
前記コンテンツは、静止画または動画の少なくともいずれかが表示される画像ペインと、文字が表示されるテロップペインとを含んでおり、
前記編集装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部を備え、
前記コンテンツ配信方法は、
前記編集装置が、前記番組情報に示される前記テロップデータを編集するための入力操作を受け付けるステップと、
前記編集装置が、前記入力操作を受け付けるステップにより受け付けた前記テロップデータの編集の内容に応じて前記番組情報を更新するステップと、
前記編集装置が、前記更新された番組情報に基づいて、前記テロップデータの再生時間と前記画像データの再生時間とが同期した前記コンテンツを生成するステップと、
前記編集装置が、前記生成されたコンテンツを前記配信サーバへ送信するステップと、
前記配信サーバが、前記編集装置によって生成された前記コンテンツを受信するステップと、
前記配信サーバが、前記受信したコンテンツを前記表示端末に配信するステップとを含む、コンテンツ配信方法。
【請求項２４】
コンテンツの構成を編集し、編集結果に基づき前記コンテンツを生成し、生成したコン
テンツを配信するコンテンツ管理装置と、前記コンテンツを再生する表示端末とにより構成されるシステムにおけるコンテンツ配信方法であって、
前記コンテンツは、静止画または動画の少なくともいずれかが表示される画像ペインと、文字が表示されるテロップペインとを含んでおり、
前記コンテンツ管理装置は、
１以上の画像データと、１以上のテロップデータと、前記画像ペインに表示されるべき画像データの表示の設定および前記テロップペインに表示されるべきテロップデータの表示の設定を示す番組情報とを記憶するための記憶部を備え、
前記コンテンツ配信方法は、前記コンテンツ管理装置が、前記番組情報に示される前記テロップデータを編集するための入力操作を受け付けるステップと、
前記コンテンツ管理装置が、前記入力操作を受け付けるステップにより受け付けた前記テロップデータの編集の内容に応じて前記番組情報を更新するステップと、
前記コンテンツ管理装置が、前記更新された番組情報に基づいて、前記テロップデータの再生時間と前記画像データの再生時間とが同期した前記コンテンツを生成するステップと、
前記コンテンツ管理装置が、前記生成されたコンテンツを前記表示端末へ配信するステップと、
前記表示端末が、前記コンテンツ管理装置から配信されるコンテンツを受信するステップと、
前記表示端末が、前記受信したコンテンツを表示するためのステップとを含む、コンテンツ配信方法。
【請求項２５】
コンテンツを配信する配信サーバと、前記コンテンツを再生する表示端末と、前記コンテンツの構成を編集する編集装置とを含むシステムを構成する編集装置の動作を制御するためのプログラムであって、
前記コンテンツは、静止画または動画の少なくともいずれかが表示される画像ペインと、文字が表示されるテロップペインとを含んでおり、
前記配信サーバは、
１以上の画像データと、１以上のテロップデータとを記憶する原データ記憶部を備え、
前記編集装置は、プロセッサと、メモリとを備え、
前記メモリは、前記画像ペインに表示されるべき画像データの表示の設定および前記テロップペインに表示されるべきテロップデータの表示の設定を示す番組情報を記憶するよう構成されており、
前記プログラムは、前記プロセッサに、
前記番組情報に示される前記テロップデータを編集するための入力操作を受け付けるステップと、
前記入力操作を受け付けるステップにより受け付けた前記テロップデータの編集の内容に応じて前記番組情報を更新するステップと、
前記更新された番組情報を前記配信サーバへ送信するステップとを実行させ、
前記配信サーバは、
前記編集装置によって更新された番組情報を前記編集装置から受信する受信部と、
前記受信した前記番組情報に基づいて、前記テロップデータの再生時間と前記画像データの再生時間とが同期した前記コンテンツを生成する生成部と、
前記生成されたコンテンツを前記表示端末に配信する配信部とを備え、
前記プログラムは、前記プロセッサに、
前記テロップデータの編集を前記ステップにおいて受け付けた場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新するステップを実行させる、プログラム。
【請求項２６】
コンテンツを配信する配信サーバと、前記コンテンツを再生する表示端末と、前記コンテンツの構成を編集する編集装置とを含むシステムを構成する前記配信サーバの動作を制御するためのプログラムであって、
前記コンテンツは、静止画または動画の少なくともいずれかが表示される画像ペインと、文字が表示されるテロップペインとを含んでおり、
前記配信サーバは、プロセッサと、メモリとを備え、
前記メモリは、１以上の画像データと、１以上のテロップデータとを記憶するよう構成されており、
前記編集装置は、
前記画像ペインに表示されるべき画像データの表示の設定および前記テロップペインに表示されるべきテロップデータの表示の設定を示す番組情報を記憶するための記憶部と、
前記番組情報に示される前記テロップデータを編集するための入力操作を受け付ける操作受付部と、
前記編集装置の動作を制御するための制御部とを備え、
前記制御部は、前記操作受付部により受け付けた前記テロップデータの編集の内容に応じて前記番組情報を更新する番組情報編集部と、
前記更新された番組情報を前記配信サーバへ送信する送信制御部とを含み、
前記プログラムは、前記プロセッサに、
前記編集装置によって更新された番組情報を前記編集装置から受信するステップと、
前記受信した前記番組情報に基づいて、前記テロップデータの再生時間と前記画像データの再生時間とが同期した前記コンテンツを生成するステップと、
前記生成されたコンテンツを前記表示端末に配信するステップとを実行させ、
前記生成するステップにおいて、前記番組情報を前記編集装置から受信した場合に、前記テロップデータの再生時間を取得し、取得された前記テロップデータの再生時間と、前記番組情報に示される前記画像データの再生時間とが同期するよう、前記番組情報の前記画像データの表示の設定と前記テロップデータの表示の設定とのうち少なくともいずれか一方を更新し、更新後の番組情報に基づいて前記コンテンツを生成するステップを実行させる、プログラム。
【請求項２７】
コンテンツを配信する配信サーバと、前記コンテンツを再生する表示端末と、前記コンテンツの構成を編集して前記コンテンツを生成する編集装置とにより構成されるシステムの前記編集装置の動作を制御するためのプログラムであって、
前記コンテンツは、静止画または動画の少なくともいずれかが表示される画像ペインと、文字が表示されるテロップペインとを含んでおり、
前記編集装置は、プロセッサと、メモリとを備え、
前記メモリは、１以上の画像データと、１以上のテロップデータと、前記画像ペインに表示されるべき画像データの表示の設定および前記テロップペインに表示されるべきテロップデータの表示の設定を示す番組情報とを記憶するよう構成されており、
前記プログラムは、前記プロセッサに、
前記番組情報に示される前記テロップデータを編集するための入力操作を受け付けるステップと、
前記入力操作を受け付けるステップにより受け付けた前記テロップデータの編集の内容に応じて前記番組情報を更新するステップと、
前記更新された番組情報に基づいて、前記テロップデータの再生時間と前記画像データの再生時間とが同期した前記コンテンツを生成するステップと、
前記生成されたコンテンツを前記配信サーバへ送信するステップとを実行させる、プログラム。
【請求項２８】
コンテンツの構成を編集し、編集結果に基づき前記コンテンツを生成し、生成したコン
テンツを配信するコンテンツ管理装置と、前記コンテンツを再生する表示端末とを含むシステムを構成するコンテンツ管理装置の動作を制御するためのプログラムであって、
前記コンテンツは、静止画または動画の少なくともいずれかが表示される画像ペインと、文字が表示されるテロップペインとを含んでおり、
前記コンテンツ管理装置は、プロセッサと、メモリとを備え、
前記メモリは、１以上の画像データと、１以上のテロップデータと、前記画像ペインに表示されるべき画像データの表示の設定および前記テロップペインに表示されるべきテロップデータの表示の設定を示す番組情報とを記憶するよう構成されており、
前記プログラムは、前記プロセッサに、前記番組情報に示される前記テロップデータを編集するための入力操作を受け付けるステップと、
前記入力操作を受け付けるステップにより受け付けた前記テロップデータの編集の内容に応じて前記番組情報を更新するステップと、
前記更新された番組情報に基づいて、前記テロップデータの再生時間と前記画像データの再生時間とが同期した前記コンテンツを生成するステップと、
前記生成されたコンテンツを前記表示端末へ配信するステップとを実行させる、プログラム。
【発明の詳細な説明】
【技術分野】
【０００１】
本発明は、表示端末にサイネージ用のコンテンツを表示するシステムに関し、特に、コンテンツの編集を容易にするための技術に関する。
【背景技術】
【０００２】
近年、広告（サイネージ）を表示するためのサイネージ表示端末の普及が進んでいる。サイネージ表示端末は、駅などの交通機関や、ショッピングモールおよび小規模販売店などに設置されている。サイネージ表示端末は、例えば商品の使用態様を表示する等により、消費者の購買意欲を高めることができる。例えば、人通りが多い大規模なショッピングセンター等において、大型のディスプレイに次々と広告を表示することで、消費者に情報を提示するとともに、広告主による販売促進などのプロモーション活動を実現することができる。また、例えば、比較的小規模な店舗において、サイネージ用のコンテンツを、インターネットを通じて配信サーバ等から配信を受けて、店頭に設置したディスプレイやタブレット型の表示端末に表示することも行われている。
【０００３】
これらサイネージ用のコンテンツは、主として、画像データを表示する領域である画像ペインと、テロップデータ（テキスト）を表示する領域であるテロップペインとを含んで構成される。店舗等のスタッフは、例えばＰＣ（Personal  Computer）等のコンテンツ編集装置を操作し、コンテンツに含める画像の表示順を指定し、画像の表示を切り替える際の特殊効果（エフェクト）を設定し、テロップデータとして表示するテキストを編集する等によって、サイネージ用のコンテンツを生成する。
【０００４】
テロップの表示と画像の表示とを制御する技術として、例えば特開２００８−２０３７１１号公報（特許文献１）に記載されたものがある。特許文献１は、テロップ情報とともに画像情報を表示するテロップ情報表示装置において、テロップ情報の表示時間より、画像情報の再生時間が短い場合、画像情報を繰り返して再生することを記載している。
【先行技術文献】
【特許文献】
【０００５】
【特許文献１】特開２００８−２０３７７１号公報
【発明の概要】
【発明が解決しようとする課題】
【０００６】
しかし、ユーザがテロップデータを編集した場合に、テキストの文字量が増加する等によって、テロップデータのスクロールに要する時間が、画像ペインなどの他のペインの表示時間と一致しなくなることがある。この場合、各ペインの表示時間や表示タイミングにズレが生じ得るため、テロップが途中で途切れることなどがある。そのため、ユーザは、手動で当該他のペインの表示時間を調整する、当該他のペインの表示内容を再作成する、などの対策を実施する必要があり、手間が発生する。
【０００７】
本発明は、サイネージ用などのコンテンツを配信するシステムにおいて、コンテンツの編集を容易にする技術を提供することを目的とする。
【課題を解決するための手段】
【０００８】
一実施形態に従うシステムは、コンテンツを配信する配信サーバと、コンテンツを再生する表示端末と、コンテンツの構成を編集する編集装置とにより構成される。コンテンツ
は、静止画または動画の少なくともいずれかが表示される画像ペインと、文字が表示されるテロップペインとを含んでおり、配信サーバは、１以上の画像データと、１以上のテロップデータとを記憶する原データ記憶部を備え、編集装置は、画像ペインに表示されるべき画像データの表示の設定およびテロップペインに表示されるべきテロップデータの表示の設定を示す番組情報を記憶するための記憶部と、番組情報に示されるテロップデータを編集するための入力操作を受け付ける操作受付部と、編集装置の動作を制御するための制御部とを備え、制御部は、操作受付部により受け付けたテロップデータの編集の内容に応じて番組情報を更新する番組情報編集部と、更新された番組情報を配信サーバへ送信する送信制御部とを含み、配信サーバは、編集装置によって更新された番組情報を編集装置から受信する受信部と、受信した番組情報に基づいて、テロップデータの再生時間と画像データの再生時間とが同期したコンテンツを生成する生成部と、生成されたコンテンツを表示端末に配信する配信部とを備える。
【０００９】
別の実施形態に従うシステムは、コンテンツを配信する配信サーバと、コンテンツを再生する表示端末と、コンテンツの構成を編集してコンテンツを生成する編集装置とにより構成される。コンテンツは、静止画または動画の少なくともいずれかが表示される画像ペインと、文字が表示されるテロップペインとを含んでおり、編集装置は、１以上の画像データと、１以上のテロップデータと、画像ペインに表示されるべき画像データの表示の設定およびテロップペインに表示されるべきテロップデータの表示の設定を示す番組情報とを記憶するための記憶部と、番組情報に示されるテロップデータを編集するための入力操作を受け付ける操作受付部と、編集装置の動作を制御するための制御部とを備え、制御部は、操作受付部により受け付けたテロップデータの編集の内容に応じて番組情報を更新する番組情報編集部と、更新された番組情報に基づいて、テロップデータの再生時間と画像データの再生時間とが同期したコンテンツを生成する生成部と、生成されたコンテンツを配信サーバへ送信する送信部とを含み、配信サーバは、編集装置によって生成されたコンテンツを受信する受信部と、受信したコンテンツを表示端末に配信する配信部とを備える。
【００１０】
別の実施形態に従うシステムは、コンテンツの構成を編集し、編集結果に基づきコンテンツを生成し、生成したコンテンツを配信するコンテンツ管理装置と、コンテンツを再生する表示端末とにより構成される。コンテンツは、静止画または動画の少なくともいずれかが表示される画像ペインと、文字が表示されるテロップペインとを含んでおり、コンテンツ管理装置は、１以上の画像データと、１以上のテロップデータと、画像ペインに表示されるべき画像データの表示の設定およびテロップペインに表示されるべきテロップデータの表示の設定を示す番組情報とを記憶するための記憶部と、番組情報に示されるテロップデータを編集するための入力操作を受け付ける操作受付部と、コンテンツ管理装置の動作を制御するための制御部とを備え、制御部は、操作受付部により受け付けたテロップデータの編集の内容に応じて番組情報を更新する番組情報編集部と、更新された番組情報に基づいて、テロップデータの再生時間と画像データの再生時間とが同期したコンテンツを生成する生成部と、生成されたコンテンツを表示端末へ配信する配信部とを含み、表示端末は、コンテンツ管理装置から配信されるコンテンツを受信する受信部と、受信したコンテンツを表示するための表示部とを備える。
【００１１】
別の実施形態に従うと、コンテンツを配信する配信サーバと、コンテンツを再生する表示端末と、コンテンツの構成を編集する編集装置とを含むシステムを構成する編集装置が提供される。コンテンツは、静止画または動画の少なくともいずれかが表示される画像ペインと、文字が表示されるテロップペインとを含んでおり、配信サーバは、１以上の画像データと、１以上のテロップデータとを記憶する原データ記憶部を備え、編集装置は、画像ペインに表示されるべき画像データの表示の設定およびテロップペインに表示されるべきテロップデータの表示の設定を示す番組情報を記憶するための記憶部と、番組情報に示
されるテロップデータを編集するための入力操作を受け付ける操作受付部と、編集装置の動作を制御するための制御部とを備え、制御部は、操作受付部により受け付けたテロップデータの編集の内容に応じて番組情報を更新する番組情報編集部と、更新された番組情報を配信サーバへ送信する送信制御部とを含み、配信サーバは、編集装置によって更新された番組情報を編集装置から受信する受信部と、受信した番組情報に基づいて、テロップデータの再生時間と画像データの再生時間とが同期したコンテンツを生成する生成部と、生成されたコンテンツを表示端末に配信する配信部とを備え、編集装置の番組情報編集部は、テロップデータの編集を操作受付部により受け付けた場合に、テロップデータの再生時間を取得し、取得されたテロップデータの再生時間と、番組情報に示される画像データの再生時間とが同期するよう、番組情報の画像データの表示の設定とテロップデータの表示の設定とのうち少なくともいずれか一方を更新する。
【００１２】
別の実施形態に従うと、コンテンツを配信する配信サーバと、コンテンツを再生する表示端末と、コンテンツの構成を編集する編集装置とを含むシステムを構成する配信サーバが提供される。コンテンツは、静止画または動画の少なくともいずれかが表示される画像ペインと、文字が表示されるテロップペインとを含んでおり、配信サーバは、１以上の画像データと、１以上のテロップデータとを記憶する原データ記憶部を備え、編集装置は、画像ペインに表示されるべき画像データの表示の設定およびテロップペインに表示されるべきテロップデータの表示の設定を示す番組情報を記憶するための記憶部と、番組情報に示されるテロップデータを編集するための入力操作を受け付ける操作受付部と、編集装置の動作を制御するための制御部とを備え、制御部は、操作受付部により受け付けたテロップデータの編集の内容に応じて番組情報を更新する番組情報編集部と、更新された番組情報を配信サーバへ送信する送信制御部とを含み、配信サーバは、編集装置によって更新された番組情報を編集装置から受信する受信部と、受信した番組情報に基づいて、テロップデータの再生時間と画像データの再生時間とが同期したコンテンツを生成する生成部と、生成されたコンテンツを表示端末に配信する配信部とを備え、生成部は、受信部により番組情報を編集装置から受信した場合に、テロップデータの再生時間を取得し、取得されたテロップデータの再生時間と、番組情報に示される画像データの再生時間とが同期するよう、番組情報の画像データの表示の設定とテロップデータの表示の設定とのうち少なくともいずれか一方を更新し、更新後の番組情報に基づいてコンテンツを生成する。
【００１３】
別の実施形態に従うと、コンテンツを配信する配信サーバと、コンテンツを再生する表示端末と、コンテンツの構成を編集してコンテンツを生成する編集装置とにより構成されるシステムの編集装置が提供される。コンテンツは、静止画または動画の少なくともいずれかが表示される画像ペインと、文字が表示されるテロップペインとを含んでおり、編集装置は、１以上の画像データと、１以上のテロップデータと、画像ペインに表示されるべき画像データの表示の設定およびテロップペインに表示されるべきテロップデータの表示の設定を示す番組情報とを記憶するための記憶部と、番組情報に示されるテロップデータを編集するための入力操作を受け付ける操作受付部と、編集装置の動作を制御するための制御部とを備え、制御部は、操作受付部により受け付けたテロップデータの編集の内容に応じて番組情報を更新する番組情報編集部と、更新された番組情報に基づいて、テロップデータの再生時間と画像データの再生時間とが同期したコンテンツを生成する生成部と、生成されたコンテンツを配信サーバへ送信する送信部とを含む。
【００１４】
別の実施形態に従うと、コンテンツの構成を編集し、編集結果に基づきコンテンツを生成し、生成したコンテンツを配信するコンテンツ管理装置と、コンテンツを再生する表示端末とを含むシステムを構成するコンテンツ管理装置が提供される。コンテンツは、静止画または動画の少なくともいずれかが表示される画像ペインと、文字が表示されるテロップペインとを含んでおり、コンテンツ管理装置は、１以上の画像データと、１以上のテロップデータと、画像ペインに表示されるべき画像データの表示の設定およびテロップペイ
ンに表示されるべきテロップデータの表示の設定を示す番組情報とを記憶するための記憶部と、番組情報に示されるテロップデータを編集するための入力操作を受け付ける操作受付部と、コンテンツ管理装置の動作を制御するための制御部とを備え、制御部は、操作受付部により受け付けたテロップデータの編集の内容に応じて番組情報を更新する番組情報編集部と、更新された番組情報に基づいて、テロップデータの再生時間と画像データの再生時間とが同期したコンテンツを生成する生成部と、生成されたコンテンツを表示端末へ配信する配信部とを含む。
【００１５】
別の実施形態に従うと、コンテンツの構成を編集し、編集結果に基づきコンテンツを生成し、生成したコンテンツを表示するコンテンツ管理装置が提供される。コンテンツは、静止画または動画の少なくともいずれかが表示される画像ペインと、文字が表示されるテロップペインとを含んでおり、コンテンツ管理装置は、１以上の画像データと、１以上のテロップデータと、画像ペインに表示されるべき画像データの表示の設定およびテロップペインに表示されるべきテロップデータの表示の設定を示す番組情報とを記憶するための記憶部と、番組情報に示されるテロップデータを編集するための入力操作を受け付ける操作受付部と、モニタと、コンテンツ管理装置の動作を制御するための制御部とを備える。制御部は、操作受付部により受け付けたテロップデータの編集の内容に応じて番組情報を更新する番組情報編集部と、更新された番組情報に基づいて、テロップデータの再生時間と画像データの再生時間とが同期したコンテンツを生成する生成部と、生成されたコンテンツをモニタへ表示する表示制御部とを含む。
【００１６】
別の実施形態に従うと、コンテンツを配信する配信サーバと、コンテンツを再生する表示端末と、コンテンツの構成を編集する編集装置とにより構成されるシステムにおけるコンテンツ配信方法が提供される。コンテンツは、静止画または動画の少なくともいずれかが表示される画像ペインと、文字が表示されるテロップペインとを含んでおり、配信サーバは、１以上の画像データと、１以上のテロップデータとを記憶する原データ記憶部を備え、編集装置は、画像ペインに表示されるべき画像データの表示の設定およびテロップペインに表示されるべきテロップデータの表示の設定を示す番組情報を記憶するための記憶部を備え、コンテンツ配信方法は、編集装置が、番組情報に示されるテロップデータを編集するための入力操作を受け付けるステップと、編集装置が、入力操作を受け付けるステップにより受け付けたテロップデータの編集の内容に応じてテロップデータの再生時間を取得し、取得されたテロップデータの再生時間と、番組情報に示される画像データの再生時間とが同期するよう、番組情報の画像データの表示の設定とテロップデータの表示の設定とのうち少なくともいずれか一方を更新することで番組情報を更新するステップと、編集装置が、更新された番組情報を配信サーバへ送信するステップと、配信サーバが、編集装置によって更新された番組情報を編集装置から受信するステップと、配信サーバが、受信した番組情報に基づいて、テロップデータの再生時間と画像データの再生時間とが同期したコンテンツを生成するステップと、配信サーバが、生成されたコンテンツを表示端末に配信するステップとを含む。
【００１７】
別の実施形態に従うと、コンテンツを配信する配信サーバと、コンテンツを再生する表示端末と、コンテンツの構成を編集する編集装置とにより構成されるシステムにおけるコンテンツ配信方法が提供される。コンテンツは、静止画または動画の少なくともいずれかが表示される画像ペインと、文字が表示されるテロップペインとを含んでおり、配信サーバは、１以上の画像データと、１以上のテロップデータとを記憶する原データ記憶部を備え、編集装置は、画像ペインに表示されるべき画像データの表示の設定およびテロップペインに表示されるべきテロップデータの表示の設定を示す番組情報を記憶するための記憶部を備え、コンテンツ配信方法は、編集装置が、番組情報に示されるテロップデータを編集するための入力操作を受け付けるステップと、編集装置が、入力操作を受け付けるステップにより受け付けたテロップデータの編集の内容に応じて番組情報を更新するステップ
と、編集装置が、更新された番組情報を配信サーバへ送信するステップと、配信サーバが、編集装置によって更新された番組情報を編集装置から受信するステップと、配信サーバが、受信した番組情報に基づいて、テロップデータの再生時間を取得し、取得されたテロップデータの再生時間と、番組情報に示される画像データの再生時間とが同期するよう、番組情報の画像データの表示の設定とテロップデータの表示の設定とのうち少なくともいずれか一方を更新し、更新後の番組情報に基づいてコンテンツを生成するステップと、配信サーバが、生成されたコンテンツを表示端末に配信するステップとを含む。
【００１８】
別の実施形態に従うと、コンテンツを配信する配信サーバと、コンテンツを再生する表示端末と、コンテンツの構成を編集してコンテンツを生成する編集装置とにより構成されるシステムにおけるコンテンツ配信方法が提供される。コンテンツは、静止画または動画の少なくともいずれかが表示される画像ペインと、文字が表示されるテロップペインとを含んでおり、編集装置は、１以上の画像データと、１以上のテロップデータと、画像ペインに表示されるべき画像データの表示の設定およびテロップペインに表示されるべきテロップデータの表示の設定を示す番組情報とを記憶するための記憶部を備え、コンテンツ配信方法は、編集装置が、番組情報に示されるテロップデータを編集するための入力操作を受け付けるステップと、編集装置が、入力操作を受け付けるステップにより受け付けたテロップデータの編集の内容に応じて番組情報を更新するステップと、編集装置が、更新された番組情報に基づいて、テロップデータの再生時間と画像データの再生時間とが同期したコンテンツを生成するステップと、編集装置が、生成されたコンテンツを配信サーバへ送信するステップと、配信サーバが、編集装置によって生成されたコンテンツを受信するステップと、配信サーバが、受信したコンテンツを表示端末に配信するステップとを含む。
【００１９】
別の実施形態に従うと、コンテンツの構成を編集し、編集結果に基づきコンテンツを生成し、生成したコンテンツを配信するコンテンツ管理装置と、コンテンツを再生する表示端末とにより構成されるシステムにおけるコンテンツ配信方法が提供される。コンテンツは、静止画または動画の少なくともいずれかが表示される画像ペインと、文字が表示されるテロップペインとを含んでおり、コンテンツ管理装置は、１以上の画像データと、１以上のテロップデータと、画像ペインに表示されるべき画像データの表示の設定およびテロップペインに表示されるべきテロップデータの表示の設定を示す番組情報とを記憶するための記憶部を備え、コンテンツ配信方法は、コンテンツ管理装置が、番組情報に示されるテロップデータを編集するための入力操作を受け付けるステップと、コンテンツ管理装置が、入力操作を受け付けるステップにより受け付けたテロップデータの編集の内容に応じて番組情報を更新するステップと、コンテンツ管理装置が、更新された番組情報に基づいて、テロップデータの再生時間と画像データの再生時間とが同期したコンテンツを生成するステップと、コンテンツ管理装置が、生成されたコンテンツを表示端末へ配信するステップと、表示端末が、コンテンツ管理装置から配信されるコンテンツを受信するステップと、表示端末が、受信したコンテンツを表示するためのステップとを含む。
【００２０】
別の実施形態に従うと、コンテンツを配信する配信サーバと、コンテンツを再生する表示端末と、コンテンツの構成を編集する編集装置とを含むシステムを構成する編集装置の動作を制御するためのプログラムが提供される。コンテンツは、静止画または動画の少なくともいずれかが表示される画像ペインと、文字が表示されるテロップペインとを含んでおり、配信サーバは、１以上の画像データと、１以上のテロップデータとを記憶する原データ記憶部を備え、編集装置は、プロセッサと、メモリとを備え、メモリは、画像ペインに表示されるべき画像データの表示の設定およびテロップペインに表示されるべきテロップデータの表示の設定を示す番組情報とを記憶するよう構成されており、プログラムは、プロセッサに、番組情報に示されるテロップデータを編集するための入力操作を受け付けるステップと、入力操作を受け付けるステップにより受け付けたテロップデータの編集の
内容に応じて番組情報を更新するステップと、更新された番組情報を配信サーバへ送信するステップとを実行させ、配信サーバは、編集装置によって更新された番組情報を編集装置から受信する受信部と、受信した番組情報に基づいて、テロップデータの再生時間と画像データの再生時間とが同期したコンテンツを生成する生成部と、生成されたコンテンツを表示端末に配信する配信部とを備え、プログラムは、プロセッサに、テロップデータの編集をステップにおいて受け付けた場合に、テロップデータの再生時間を取得し、取得されたテロップデータの再生時間と、番組情報に示される画像データの再生時間とが同期するよう、番組情報の画像データの表示の設定とテロップデータの表示の設定とのうち少なくともいずれか一方を更新するステップを実行させる。
【００２１】
別の実施形態に従うと、コンテンツを配信する配信サーバと、コンテンツを再生する表示端末と、コンテンツの構成を編集する編集装置とを含むシステムを構成する配信サーバの動作を制御するためのプログラムが提供される。コンテンツは、静止画または動画の少なくともいずれかが表示される画像ペインと、文字が表示されるテロップペインとを含んでおり、配信サーバは、プロセッサと、メモリとを備え、メモリは、１以上の画像データと、１以上のテロップデータとを記憶するよう構成されており、編集装置は、画像ペインに表示されるべき画像データの表示の設定およびテロップペインに表示されるべきテロップデータの表示の設定を示す番組情報を記憶するための記憶部と、番組情報に示されるテロップデータを編集するための入力操作を受け付ける操作受付部と、編集装置の動作を制御するための制御部とを備え、制御部は、操作受付部により受け付けたテロップデータの編集の内容に応じて番組情報を更新する番組情報編集部と、更新された番組情報を配信サーバへ送信する送信制御部とを含み、プログラムは、プロセッサに、編集装置によって更新された番組情報を編集装置から受信するステップと、受信した番組情報に基づいて、テロップデータの再生時間と画像データの再生時間とが同期したコンテンツを生成するステップと、生成されたコンテンツを表示端末に配信するステップとを実行させ、生成するステップにおいて、番組情報を編集装置から受信した場合に、テロップデータの再生時間を取得し、取得されたテロップデータの再生時間と、番組情報に示される画像データの再生時間とが同期するよう、番組情報の画像データの表示の設定とテロップデータの表示の設定とのうち少なくともいずれか一方を更新し、更新後の番組情報に基づいてコンテンツを生成するステップを実行させる。
【００２２】
別の実施形態に従うと、コンテンツを配信する配信サーバと、コンテンツを再生する表示端末と、コンテンツの構成を編集してコンテンツを生成する編集装置とにより構成されるシステムの編集装置の動作を制御するためのプログラムが提供される。コンテンツは、静止画または動画の少なくともいずれかが表示される画像ペインと、文字が表示されるテロップペインとを含んでおり、編集装置は、プロセッサと、メモリとを備え、メモリは、１以上の画像データと、１以上のテロップデータと、画像ペインに表示されるべき画像データの表示の設定およびテロップペインに表示されるべきテロップデータの表示の設定を示す番組情報とを記憶するよう構成されており、プログラムは、プロセッサに、番組情報に示されるテロップデータを編集するための入力操作を受け付けるステップと、入力操作を受け付けるステップにより受け付けたテロップデータの編集の内容に応じて番組情報を更新するステップと、更新された番組情報に基づいて、テロップデータの再生時間と画像データの再生時間とが同期したコンテンツを生成するステップと、生成されたコンテンツを配信サーバへ送信するステップとを実行させる。
【００２３】
別の実施形態に従うと、コンテンツの構成を編集し、編集結果に基づきコンテンツを生成し、生成したコンテンツを配信するコンテンツ管理装置と、コンテンツを再生する表示端末とを含むシステムを構成するコンテンツ管理装置の動作を制御するためのプログラムが提供される。コンテンツは、静止画または動画の少なくともいずれかが表示される画像ペインと、文字が表示されるテロップペインとを含んでおり、コンテンツ管理装置は、プ
ロセッサと、メモリとを備え、メモリは、１以上の画像データと、１以上のテロップデータと、画像ペインに表示されるべき画像データの表示の設定およびテロップペインに表示されるべきテロップデータの表示の設定を示す番組情報とを記憶するよう構成されており、プログラムは、プロセッサに、番組情報に示されるテロップデータを編集するための入力操作を受け付けるステップと、入力操作を受け付けるステップにより受け付けたテロップデータの編集の内容に応じて番組情報を更新するステップと、更新された番組情報に基づいて、テロップデータの再生時間と画像データの再生時間とが同期したコンテンツを生成するステップと、生成されたコンテンツを表示端末へ配信するステップとを実行させる。
【発明の効果】
【００２４】
上記一実施形態によると、コンテンツの編集をするための操作を容易にすることで、ユーザの利便性を向上させることができる。
【００２５】
この発明の上記および他の目的、特徴、局面および利点は、添付の図面と関連して理解されるこの発明に関する次の詳細な説明から明らかとなるであろう。
【図面の簡単な説明】
【００２６】
【図１】実施の形態１のサイネージシステム１の構成を示す図である。
【図２】サイネージ編集装置１０Ａの構成を示すブロック図である。
【図３】配信サーバ２０Ａの構成を示すブロック図である。
【図４】サイネージ表示端末３０の構成を示すブロック図である。
【図５】テロップデータ２６２のデータ構造を示す図である。
【図６】番組情報１６１のデータ構造を示す図である。
【図７】配信スケジュール情報２６４のデータ構造を示す図である。
【図８】サイネージ編集装置１０Ａが番組情報１６１を編集するための入力操作をユーザから受け付けるためのインタフェースの例を示す図である。
【図９】サイネージ編集装置１０Ａがテロップデータ２６２を編集するための入力操作をユーザから受け付けるためのインタフェースの例を示す図である。
【図１０】配信コンテンツ２６３において、画像とテロップデータとが表示される領域を示す図である。
【図１１】配信コンテンツ２６３の表示例を示す図である。
【図１２】サイネージ編集装置１０Ａが番組情報１６１を編集するための入力操作を受け付ける処理を示すフローチャートである。
【図１３】サイネージ編集装置１０Ａがテロップデータの表示の設定を更新する処理を示す図である。
【図１４】配信サーバ２０Ａによる配信コンテンツ２６３を生成する処理を示すフローチャートである。
【図１５】実施の形態２のサイネージ編集装置１０Ａが番組情報１６１を編集するための入力操作を受け付ける処理を示すフローチャートである。
【図１６】サイネージ編集装置１０Ａがテロップデータの表示の設定を更新する処理を示す図である。
【図１７】実施の形態３のサイネージ編集装置１０Ａが番組情報１６１を編集するための入力操作を受け付ける処理を示すフローチャートである。
【図１８】サイネージ編集装置１０Ａがテロップデータの表示の設定を更新する処理を示す図である。
【図１９】実施の形態４の配信サーバ２０Ａが番組情報１６１の各種設定を調整し、コンテンツを生成する処理を示すフローチャートである。
【図２０】サイネージ編集装置１０Ｂの構成を示すブロック図である。
【図２１】配信サーバ２０Ｂの構成を示すブロック図である。
【図２２】実施の形態５のサイネージ編集装置１０Ｂが、コンテンツを生成して配信サーバ２０Ｂへ送信する処理を示すフローチャートである。
【図２３】実施の形態６のサイネージシステムの構成を示す図である。
【図２４】コンテンツ管理装置１０Ｃの構成を示すブロック図である。
【図２５】実施の形態６のコンテンツ管理装置１０Ｃが、コンテンツを生成する処理を示すフローチャートである。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
＜実施の形態１＞
図１は、実施の形態１のサイネージシステム１の構成を示す図である。広告等の映像コンテンツを少なくとも１つの表示端末に出力するため、配信サーバ２０は、サイネージ用のコンテンツを蓄積し、配信スケジュールに従って、配信サーバ２０からサイネージ表示端末３０へとサイネージ用のコンテンツを配信している。図１では、配信サーバ２０を構成するサーバとして、配信サーバ２０Ａを示している。
【００２９】
サイネージ編集装置１０Ａは、配信サーバ２０Ａが蓄積しているコンテンツを編集するための入力操作を受け付ける。サイネージ編集装置１０Ａは、サイネージ用のコンテンツを構成している画像データおよびテロップデータの表示の設定を示す番組情報を記憶する。コンテンツは、１以上の画像データによって構成される映像データである。コンテンツを構成する画像データには、静止画のファイルまたは動画のファイルの少なくともいずれかまたは両方が含まれる。また、コンテンツにおいて、例えば、表示される画像データが別の画像データに切り替わるタイミングで映像に施される特殊効果を示すトランジションが設定されている。トランジションとしては、例えばフェードイン、フェードアウト、ワイプなどの特殊効果がある。番組情報は、サイネージ用のコンテンツに含まれる各種の画像データの表示の設定、および、テロップデータの再生時間、表示タイミング、表示位置その他の設定を示す。サイネージ編集装置１０Ａは、ユーザの入力操作に応じて番組情報を更新する。
【００３０】
サイネージ表示端末３０は、配信サーバ２０Ａからコンテンツを受信し、コンテンツを再生するスケジュールに従って、コンテンツを表示する。ユーザは、コンテンツに含まれる画像やテロップデータの内容を編集することが必要となったとき、サイネージ編集装置１０Ａに対し、番組情報を編集するための入力操作を行う。サイネージ編集装置１０Ａは、ユーザの入力操作を受け付けて番組情報を編集する。このとき、番組情報がユーザによって編集されることで、テロップデータの再生時間が、画像データの再生時間と一致しなくなったとする。この場合、サイネージ編集装置１０Ａは、テロップデータに含まれる文字のフォントサイズ、フォント、文字のスクロール速度等の、テロップデータの各種パラメータを調整することで、テロップデータの再生時間と、画像データの再生時間とが一致するようテロップデータの表示の設定を更新する。
【００３１】
サイネージシステム１は、例えば、比較的大きなショッピングモールや、交通機関や、小規模な店舗などにおいて使用される。図１を参照して、サイネージシステム１は、サイネージ編集装置１０と、配信サーバ２０と、サイネージ表示端末３０とを含む。なお、図１では、サイネージ編集装置１０として、具体的にはラップトップ型の情報処理装置であるサイネージ編集装置１０Ａを示している。また、図１では、サイネージ表示端末３０として、サイネージ表示端末３０Ａとサイネージ表示端末３０Ｂとを示している。サイネージ表示端末３０Ａは、液晶ディスプレイを有する情報処理装置である。サイネージ表示端
末３０Ｂは、タブレット端末である。サイネージ編集装置１０と、配信サーバ２０と、サイネージ表示端末３０とは、互いにネットワーク９０を介して接続される。
【００３２】
＜Ａ．構成＞
サイネージシステム１に含まれるサイネージ編集装置１０Ａ、配信サーバ２０Ａおよびサイネージ表示端末３０の構成を説明する。
【００３３】
＜Ａ１．サイネージ編集装置１０の構成＞
図２は、サイネージ編集装置１０Ａの構成を示すブロック図である。図２を参照して、サイネージ編集装置１０Ａは、アンテナ１０１と、通信処理部１０２と、操作受付部１０３と、ディスプレイ１０４と、入出力Ｉ／Ｆ１０５と、記憶部１０６と、制御部１０７とを含む。
【００３４】
アンテナ１０１は、サイネージ編集装置１０Ａが発する信号を電波として空間へ放射する。また、アンテナ１０１は、空間から電波を受信して受信信号を通信処理部１０２へ与える。
【００３５】
通信処理部１０２は、サイネージ編集装置１０Ａが他の通信機器と通信するため、アンテナ１０１等を介して信号を送受信するための変復調処理などを行う。通信処理部１０２は、チューナー、高周波回路などを含む無線通信用の通信モジュールであり、サイネージ編集装置１０Ａが送受信する無線信号の変復調や周波数変換を行い、受信信号を制御部１０７へ与える。
【００３６】
操作受付部１０３は、ユーザの入力操作を受け付けるための部材である。操作受付部１０３は、例えばキーボード、トラックパッド、タッチパネル等の各種の入力装置によって実現される。
【００３７】
ディスプレイ１０４は、サイネージ編集装置１０Ａにおいてアプリケーションプログラムが動作することにより、メニュー画面や番組情報１６１を編集するためのユーザーインタフェースなどを表示する。ディスプレイ１０４は、例えばＬＣＤ（Liquid  Crystal  Display）によって実現されるが、有機ＥＬ（electroluminescence）ディスプレイその他の表示装置によって実現されることとしてもよい。
【００３８】
入出力Ｉ／Ｆ（Interface）１０５は、サイネージ編集装置１０Ａと各種の機器とを接続するための汎用のインタフェースである。入出力Ｉ／Ｆ１０５は、記録媒体５０など外部のストレージ機器と接続するためのインタフェースとして機能する。記録媒体５０は、例えばＵＳＢ（Universal  Serial  Bus）メモリなどである。サイネージ編集装置１０Ａは、入出力Ｉ／Ｆ１０５を介して記録媒体５０と接続し、記録媒体５０に記憶されるデータを読み出して記憶部１０６へ格納する。例えば、記録媒体５０に番組情報１６１などが記憶されている場合に、サイネージ編集装置１０Ａは、これらデータを記録媒体５０から読み出して記憶部１０６に記憶させる。
【００３９】
記憶部１０６は、フラッシュメモリ、ＲＡＭ（Random  Access  Memory）等により構成され、サイネージ編集装置１０Ａが使用するデータおよびプログラムを記憶する。ある局面において、記憶部１０６は、番組情報１６１を記憶する。番組情報１６１は、ファイル編成情報１６２と、ファイル−テロップ対応テーブル１６３とを含むデータである。
【００４０】
番組情報１６１は、サイネージ用のコンテンツに含まれる画像データおよびテロップデータの表示の設定を示す情報である。番組情報１６１に含まれるファイル編成情報１６２は、サイネージ用のコンテンツに含まれる各種の画像データの表示の設定、および、テロ
ップデータの再生時間、表示タイミング、表示位置その他の設定を示す。
【００４１】
ファイル−テロップ対応テーブル１６３は、サイネージ用のコンテンツを構成する画像データ（静止画または動画のファイル）と、テロップデータとの対応関係を示す。あるファイルに対して、特定のテロップデータが対応づけられていることで、例えば、サイネージ用のコンテンツにおいて、広告で紹介する商品の画像と、商品の説明のためのテロップデータとを連動して表示することができる。
【００４２】
制御部１０７は、記憶部１０６に記憶される制御プログラムを読み込んで実行することにより、サイネージ編集装置１０Ａの動作を制御する。制御部１０７は、例えばアプリケーションプロセッサである。制御部１０７は、プログラムに従って動作することにより、番組情報編集部１７１と、送信制御部１７２との各機能を発揮する。
【００４３】
番組情報編集部１７１は、操作受付部１０３によって受け付けたユーザの入力操作に応じて、番組情報１６１に示される画像データの表示の設定およびテロップデータの表示の設定を更新する。また、番組情報編集部１７１は、ユーザの入力操作によって番組情報１６１の各種の設定が変更された場合に、画像データの再生に要する時間と、テロップデータの再生に要する時間とが同期するよう、画像データの表示の設定またはテロップデータの表示の設定の少なくとも一方を更新する。
【００４４】
送信制御部１７２は、配信サーバ２０Ａに対し、番組情報１６１などのデータを送信する処理を制御する。
【００４５】
なお、サイネージ編集装置１０Ａは、アンテナ１０１等による無線通信の他に、ＬＡＮ（Local  Area  Network）ポート等を備えて有線接続によって他の通信機器と通信可能であるとしてもよい。
【００４６】
＜Ａ２．配信サーバ２０Ａの構成＞
図３は、配信サーバ２０Ａの構成を示すブロック図である。図３を参照して、配信サーバ２０Ａは、通信処理部２０２と、入出力Ｉ／Ｆ２０５と、記憶部２０６と、制御部２０７とを含む。
【００４７】
通信処理部２０２は、配信サーバ２０Ａが他の通信機器と通信するため、信号を送受信するための変復調処理などを行う通信インタフェースである。
【００４８】
入出力Ｉ／Ｆ２０５は、配信サーバ２０Ａと各種の機器とを接続するための汎用のインタフェースである。
【００４９】
記憶部２０６は、フラッシュメモリ、ＨＤＤ（Hard  Disk  Drive）、ＲＡＭ等により構成され、配信サーバ２０Ａが使用するプログラムを記憶し、配信サーバ２０Ａが使用する各種のデータを蓄積する。ある局面において、記憶部２０６は、画像データ２６１と、テロップデータ２６２と、配信コンテンツ２６３と、配信スケジュール情報２６４とを記憶する。
【００５０】
画像データ２６１は、サイネージ用のコンテンツの生成に使用されるファイルであり、静止画のファイルと動画のファイルとがある。サイネージ編集装置１０Ａがコンテンツに含まれる画像データの各種の設定を、入力操作に応じて編集する際に、番組情報１６１において画像データ２６１の識別情報が指定される。すなわち、番組情報１６１は、画像データ２６１そのものを情報として含まず、画像データ２６１である静止画のファイルまたは動画のファイルを表示するための各種の設定を示す。
【００５１】
テロップデータ２６２は、サイネージ用のコンテンツの生成に使用されるテロップデータである。サイネージ編集装置１０Ａがコンテンツに含まれるテロップデータの各種の設定を、入力操作に応じて編集する際に、番組情報１６１においてテロップデータ２６２の識別情報が指定される。
【００５２】
配信コンテンツ２６３は、サイネージ編集装置１０Ａによって編集される番組情報１６１に従って、画像データ２６１と、テロップデータ２６２とを読み出して映像データを合成することで得られるサイネージ用のコンテンツである。
【００５３】
配信スケジュール情報２６４は、配信コンテンツ２６３をサイネージ表示端末３０へ配信する日時を示す情報である。配信サーバ２０Ａは、サイネージ編集装置１０Ａから番組情報１６１を受け付けて、サイネージ表示端末３０への配信の対象となるコンテンツを生成し、配信スケジュール情報２６４に示されるスケジュールに従って、配信コンテンツ２６３をサイネージ表示端末３０へ配信する。
【００５４】
制御部２０７は、記憶部２０６に記憶される制御プログラムを読み込んで実行することにより、配信サーバ２０Ａの動作を制御する。制御部２０７は、例えば複数のサイネージ表示端末３０に対してコンテンツを配信することを可能とするマルチコアプロセッサによって実現される。制御部２０７は、プログラムに従って動作することにより、受信処理部２７１と、コンテンツ生成部２７２と、配信処理部２７３との各機能を発揮する。
【００５５】
受信処理部２７１は、サイネージ編集装置１０Ａと配信サーバ２０Ａとの通信接続を確立し、サイネージ編集装置１０Ａから番組情報１６１を受信する処理などを制御する。コンテンツ生成部２７２は、受信した番組情報１６１に示される各種の設定に従って、画像データ２６１とテロップデータ２６２とを読み出して、サイネージ表示端末３０への配信の対象となる配信コンテンツ２６３を生成する。配信処理部２７３は、配信スケジュール情報２６４に示される、各コンテンツを配信するスケジュールに応じて、サイネージ用のコンテンツ（配信コンテンツ２６３）をサイネージ表示端末３０へ配信する。例えば、配信サーバ２０Ａは、配信コンテンツ２６３を、ストリーミングデータとしてサイネージ表示端末３０に送信してもよいし、サイネージ表示端末３０が配信コンテンツ２６３を表示するタイミングにあわせて予めサイネージ表示端末３０へ配信コンテンツ２６３を送信してもよい。
【００５６】
＜Ａ３．サイネージ表示端末３０の構成＞
図４は、サイネージ表示端末３０の構成を示すブロック図である。図４を参照して、サイネージ表示端末３０は、通信処理部３０２と、タッチスクリーン３０４と、記憶部３０６と、制御部３０７とを含む。
【００５７】
通信処理部３０２は、サイネージ表示端末３０が他の通信機器と通信するため、信号を送受信するための変復調処理などを行う通信インタフェースである。
【００５８】
タッチスクリーン３０４は、例えばタッチパネルおよびＬＣＤ（Liquid  Crystal  Display）によって実現され、ユーザの入力操作をタッチパネルによって受け付けるとともに、サイネージ表示端末３０が配信サーバ２０Ａから受信したサイネージ用のコンテンツを表示する。
【００５９】
記憶部３０６は、フラッシュメモリ、ＨＤＤ、ＲＡＭ等により構成され、サイネージ表示端末３０が使用するプログラム、および、サイネージ表示端末３０が配信サーバ２０Ａから受信したサイネージ用のコンテンツなどの各種のデータを記憶する。ある局面におい
て、記憶部３０６は、配信コンテンツ３６１と、配信スケジュール情報３６２とを記憶する。
【００６０】
配信コンテンツ３６１は、サイネージ表示端末３０が配信サーバ２０Ａから受信したサイネージ用のコンテンツである。配信スケジュール情報３６２は、サイネージ表示端末３０が各コンテンツをタッチスクリーン３０４に表示するスケジュールを示す。
【００６１】
制御部３０７は、記憶部３０６に記憶される制御プログラムを読み込んで実行することにより、サイネージ表示端末３０の動作を制御する。制御部３０７は、アプリケーションプロセッサによって実現される。制御部３０７は、プログラムに従って動作することにより、受信処理部３７１と、表示制御部３７２との各機能を発揮する。
【００６２】
受信処理部３７１は、サイネージ表示端末３０と配信サーバ２０Ａとの通信接続を確立し、配信サーバ２０Ａから配信コンテンツ３６１と配信スケジュール情報３６２とを受信する処理を制御する。表示制御部３７２は、配信スケジュール情報３６２に示される、各コンテンツを配信するスケジュールに従って、配信サーバ２０Ａから受信した配信コンテンツ３６１をタッチスクリーン３０４に表示する。
【００６３】
＜Ｂ．データ構造＞
次に、サイネージシステム１で使用する各種のデータの構造について説明する。
【００６４】
＜Ｂ１．テロップデータ２６２のデータ構造＞
図５は、テロップデータ２６２のデータ構造を示す図である。図５を参照して、配信サーバ２０Ａの記憶部２０６に記憶されるテロップデータ２６２は、テロップ識別情報２６２Ａと、表示位置２６２Ｂと、サイズ２６２Ｃと、フォント２６２Ｄと、フォントサイズ２６２Ｅと、スクロール方向２６２Ｆと、スクロール速度２６２Ｇと、連動ファイル２６２Ｈと、テキスト本文２６２Ｉとを含む。
【００６５】
テロップ識別情報２６２Ａは、テロップデータそれぞれを識別するための情報である。表示位置２６２Ｂは、テロップデータをディスプレイに表示する際の表示位置を示す。例えば、サイネージ表示端末３０が矩形の領域にサイネージ用のコンテンツを表示する場合に、その左上の座標を（０，０）とする。表示位置２６２Ｂは、コンテンツを表示する領域の、どの座標にテロップデータを表示するかを示す。サイズ２６２Ｃは、テロップデータを表示する領域の大きさを示す。例えば、テロップデータを表示する領域を矩形とした場合、サイズ２６２Ｃは、その領域の幅と高さを示す。
【００６６】
フォント２６２Ｄは、テロップデータを構成するテキスト本文のフォントを示す。フォントとしては、例えば日本語や英語など様々な言語のフォントの種類、および、絵文字のフォントの種類を指定することができる。フォントサイズ２６２Ｅは、テロップデータとして表示するテキスト本文の文字の大きさを示す。
【００６７】
スクロール方向２６２Ｆは、テロップデータを構成するテキスト本文のスクロールの設定を示す。例えば、スクロール方向２６２Ｆにデータ「右端から左端」が指定されている場合、テロップデータを構成するテキストが、テロップデータを表示する領域の右端から左端へと移動していくよう表示される。なお、スクロール方向２６２Ｆに指定することが可能なスクロールの方法としては、右端から左端に限らず様々なものがある。スクロール速度２６２Ｇはテロップデータを構成するテキスト本文を、画面上で移動させる速度を示す。
【００６８】
なお、スクロール方向２６２Ｆとスクロール速度２６２Ｇとは、テロップデータに適用
できる特殊効果（エフェクト）の一例として、テロップデータを構成するテキスト本文をスクロールさせる例を示したものである。テロップデータに適用できるエフェクトとしては、スクロールの他に、フライ、フェード、スピンなど様々なものがある。
【００６９】
連動ファイル２６２Ｈは、テロップデータと連動してディスプレイに表示する静止画または動画のファイルを指定する。テロップデータは、画像データに関連するテキストを含むことがあるため、連動ファイル２６２Ｈにおいて、画像データに含まれるファイルとテロップデータとの対応関係を指定することができる。
【００７０】
テキスト本文２６２Ｉは、テロップデータを構成するテキストそのものを示す。例えば、チョコレートの画像に対して、テキスト「濃厚な香りが・・・」を表示するため、テキスト本文２６２Ｉに、画像に関連するテキストが入力されている。
【００７１】
＜Ｂ２．番組情報１６１のデータ構造＞
図６を参照して、サイネージ編集装置１０Ａの記憶部１０６に記憶される番組情報１６１のデータ構造を説明する。図６は、番組情報１６１のデータ構造を示す図である。図６を参照して、サイネージ編集装置１０Ａの記憶部１０６に記憶される番組情報１６１は、ファイル編成情報１６２と、ファイル−テロップ対応テーブル１６３とを含む。
【００７２】
ファイル編成情報１６２は、サイネージ用のコンテンツを識別する識別情報(図６ではコンテンツＩＤとして示す）と対応付けられている。ファイル編成情報１６２は、サイネージ用のコンテンツに含まれる各種のファイルの再生順序、トランジションの指定、動画のファイルの切り出し部分その他の画像データ２６１を表示するための設定を示す。ファイル編成情報１６２は、再生時間１６２Ａと、ファイル名／トランジション１６２Ｂと、詳細設定１６２Ｃとを含む。サイネージ用のコンテンツは、例えば、複数の静止画のファイルと、動画のファイルと、トランジションと、複数のテロップデータとを組み合わせて、各ファイルの再生時間を指定して生成される映像コンテンツである。
【００７３】
再生時間１６２Ａは、サイネージ用のコンテンツにおいて、ファイル名／トランジション１６２Ｂに示されるファイルまたはトランジションを表示する時間を示す。トランジションとは、表示する対象の静止画または動画を切り替える間に映像に対して施す特殊効果をいう。トランジションとしては、例えば、スライド、ワイプ、フェードアウトなどがある。
【００７４】
ファイル名／トランジション１６２Ｂは、再生時間１６２Ａに示される各再生時間の間に表示する画像データ２６１（静止画または動画）、またはトランジションの指定を示す。
【００７５】
詳細設定１６２Ｃは、ファイル名／トランジション１６２Ｂに示される画像データ２６１またはトランジションを再生する際の、各種の設定を示す。例えば、動画の一部を切り出してサイネージ用のコンテンツに組み込む場合、詳細設定１６２Ｃは、その動画から切り出す範囲を示す。
【００７６】
サイネージ用のコンテンツである配信コンテンツ２６３は、番組情報１６１に基づいて、１つの映像データとして配信サーバ２０Ａによって生成される。図６の例で説明すると、サイネージ用のコンテンツは、複数の画像データによって構成され、画像データが切り替わるタイミングで各種のトランジションが使用されている。番組情報１６１に基づいて説明すると、サイネージ用のコンテンツは、コンテンツの識別情報がコンテンツＩＤ「123」と指定されており、まず、ファイル名「000.jpg」の静止画を一定時間ディスプレイに表示し、トランジション「ワイプ」により、ファイル名「111.mpg」の動画の表示へと切
り替わるよう構成されている。ファイル名「111.mpg」の動画は、詳細設定１６２Ｃに示すように、その一部分がサイネージ用のコンテンツに使用される。サイネージ用のコンテンツは、ファイル名「111.mpg」の動画を表示した後、トランジション「フェードアウト」により、ファイル名「001.jpg」の静止画に切り替わり、さらに、トランジション「フェードアウト」により、ファイル名「002.jpg」の静止画に切り替わり、その後、ファイル名「003.jpg」の静止画に切り替わるよう構成されている。
【００７７】
図６を参照して、ファイル−テロップ対応テーブル１６３は、ファイル名１６３Ａと、テロップデータ識別情報１６３Ｂとを含む。ファイル名１６３Ａは、サイネージ用のコンテンツとして使用される画像データの識別情報を示す。テロップデータ識別情報１６３Ｂは、テロップデータの識別情報を示す。
【００７８】
図６の例では、ファイル−テロップ対応テーブル１６３は、ファイル名「000.jpg」の静止画と、テロップ識別情報「１」のテロップデータとが対応付けられていることを示す。
【００７９】
＜Ｂ３．配信スケジュール情報２６４のデータ構造＞
図７を参照して、配信サーバ２０Ａの記憶部２０６に記憶される配信スケジュール情報２６４のデータ構造を説明する。図７は、配信スケジュール情報２６４のデータ構造を示す図である。サイネージ表示端末３０は、配信サーバ２０Ａから配信スケジュール情報２６４を受信して、配信スケジュール情報３６２として記憶部３０６に記憶する。
【００８０】
図７を参照して、配信スケジュール情報２６４は、日時２６４Ａと、コンテンツ識別情報２６４Ｂとを含む。日時２６４Ａは、サイネージ用のコンテンツを配信サーバ２０Ａからサイネージ表示端末３０へと配信する日時を示す。コンテンツ識別情報２６４Ｂは、配信サーバ２０Ａからサイネージ表示端末３０へ配信するコンテンツの識別情報を示す。サイネージ表示端末３０は、配信スケジュール情報３６２を参照し、日時２６４Ａに示される日時に、コンテンツ識別情報２６４Ｂに示されるコンテンツをタッチスクリーン３０４に表示する。
【００８１】
配信サーバ２０Ａは、日時２６４Ａに示される日時に、コンテンツ識別情報２６４Ｂに示されるコンテンツを、ストリーミングデータとしてサイネージ表示端末３０へ送信することとしてもよい。また、サイネージ表示端末３０がコンテンツをタッチスクリーン３０４に表示する前に、予約された日時に配信サーバ２０Ａからサイネージ表示端末３０へコンテンツを送信し、サイネージ表示端末３０でコンテンツを蓄積することとしてもよい。
【００８２】
＜Ｃ．動作＞
次に、サイネージシステム１を構成する各装置の動作を説明する。本実施形態の説明では、主に、サイネージ編集装置１０Ａにおいて、ユーザの入力操作に応じて番組情報１６１を更新する処理と、更新された番組情報１６１に基づいて配信サーバ２０Ａが配信コンテンツ２６３を生成し、生成された配信コンテンツ２６３をサイネージ表示端末３０へ配信する処理とを説明する。
【００８３】
＜Ｃ１．画面の表示例＞
図８は、サイネージ編集装置１０Ａが番組情報１６１を編集するための入力操作をユーザから受け付けるためのインタフェースの例を示す図である。図８に示すように、サイネージ編集装置１０Ａは、プレビュー画面１４１と、トランジションリスト１４２と、テロップデータ１４３と、ファイルリスト１４４と、テロップデータリスト１４５と、プログラム編集部１４６と、プレビュー表示位置１４７と、コンテンツ生成部１４８とを含む番組情報編集画面１４０Ａをディスプレイ１０４に表示する。
【００８４】
実施の形態１のサイネージシステム１において、サイネージ用のコンテンツの素材となる画像データ２６１やテロップデータ２６２は、主として配信サーバ２０Ａで保持される。また、番組情報１６１等を編集するための入力操作は、サイネージ編集装置１０Ａで受け付ける。サイネージ編集装置１０Ａは、番組情報１６１を編集するための入力操作を受け付ける場合に、配信サーバ２０Ａが保持する画像データ２６１やテロップデータ２６２を一時的に保持することとするが、これに限らず、サイネージ編集装置１０Ａは、ネットワークや記録媒体５０を介して、画像データ２６１およびテロップデータ２６２を配信サーバ２０Ａその他の通信機器から受け付けて記憶部１０６に記憶させることとしてもよい。
【００８５】
プレビュー画面１４１は、番組情報１６１に示される画像データ２６１、トランジションの再生順序、および画像データ２６１に対応するテロップデータ２６２に基づいて、配信コンテンツ２６３のプレビューを表示するための領域である。トランジションリスト１４２は、サイネージ用のコンテンツに使用することができるトランジションの一覧を示す。テロップデータ１４３は、テロップデータ２６２のテキスト本文（テキスト本文２６２Ｉ）を示す。
【００８６】
ファイルリスト１４４は、サイネージ編集装置１０Ａにおいてサイネージ用のコンテンツに使用することができる画像データ２６１の一覧を示す。テロップデータリスト１４５は、サイネージ用のコンテンツに使用することができるテロップデータ２６２の一覧を示す。
【００８７】
プログラム編集部１４６は、番組情報１６１に示される画像データ２６１と、トランジションと、テロップデータ２６２との再生の順序を図示する領域である。プレビュー表示位置１４７は、プログラム編集部１４６に示される番組情報１６１において、プレビュー画面１４１にプレビューを表示しているタイミングを示すアイコンである。
【００８８】
コンテンツ生成部１４８は、番組情報１６１の編集内容を保存するとともに、サイネージ表示端末３０に対して番組情報１６１を送信し、サイネージ表示端末３０が番組情報１６１に基づいて配信コンテンツ２６３を生成することを指示する入力操作をユーザから受け付けるための領域である。
【００８９】
テロップデータ２６２に含まれるテキスト本文を編集する入力操作をユーザから受け付けるためのインタフェースを詳しく説明する。サイネージ編集装置１０Ａは、例えば、テロップデータ１４３に対する入力操作を受け付けることで、テロップデータ２６２を編集するためのインタフェースを表示する。
【００９０】
図９は、サイネージ編集装置１０Ａがテロップデータ２６２を編集するための入力操作をユーザから受け付けるためのインタフェースの例を示す図である。図９に示すように、サイネージ編集装置１０Ａは、テキスト本文１５１と、テロップ表示位置指定部１５２と、テロップデータ編集部１５４とを含むテロップデータ編集画面１４０Ｂをディスプレイ１０４に表示する。
【００９１】
テキスト本文１５１は、ユーザが選択したテロップデータ２６２のテキスト本文２６２Ｉを表示する領域である。サイネージ編集装置１０Ａは、テキスト本文１５１に対する入力操作を受け付けることで、日本語、英語、絵文字など様々な文字を入力する画面を表示して、テロップデータ２６２のテキスト本文２６２Ｉを編集するための入力操作を受け付ける。
【００９２】
テロップ表示位置指定部１５２は、配信コンテンツ２６３において、テロップデータ２６２を表示する位置を示す。サイネージ編集装置１０Ａは、テロップデータ２６２の表示位置２６２Ｂ、サイズ２６２Ｃ等の設定に基づいて、配信コンテンツ２６３においてテロップデータ２６２を表示する領域を指定位置１５３として示す。
【００９３】
テロップデータ編集部１５４は、テロップデータ２６２の各パラメータ（表示位置２６２Ｂ等）の設定を編集するための入力操作を受け付ける領域である。
【００９４】
サイネージ編集装置１０Ａは、これら番組情報編集画面１４０Ａ、テロップデータ編集画面１４０Ｂ等の画面をディスプレイ１０４に表示して、番組情報１６１を編集する入力操作を受け付ける。番組情報１６１に示すように、配信コンテンツ２６３は、画像データ２６１を表示する領域と、テロップデータ２６２を表示する領域とを含む。
【００９５】
図１０は、配信コンテンツ２６３において、画像データとテロップデータとが表示される領域を示す図である。配信コンテンツ２６３は、画像データとテロップデータとが合成された映像データである。図１０に示すように、配信コンテンツ２６３は、ディスプレイに表示される際、画像ペイン１８１に、静止画や動画により構成される映像を表示し、テロップペイン１８２にテロップデータのテキストを表示する。なお、図１０の例では、画像ペイン１８１とテロップペイン１８２とが重なる部分を有していないが、画像ペイン１８１とテロップペイン１８２とが重なる部分があってもよい。すなわち、画像データに重ねてテロップデータが表示されることとしてもよい。
【００９６】
図１１は、配信コンテンツ２６３の表示例を示す図である。図１１に示すように、配信サーバ２０Ａは、番組情報１６１に基づいて、画像ペイン１８１に、静止画や動画により構成される映像が表示され、テロップペイン１８２にテロップデータが表示される配信コンテンツ２６３を生成するサイネージ表示端末３０は、このようにして生成された配信コンテンツ２６３をタッチスクリーン３０４に表示する。
【００９７】
＜Ｃ２．各装置の動作＞
実施の形態１のサイネージシステム１に含まれる各装置の動作を説明する。図１２は、サイネージ編集装置１０Ａが番組情報１６１を編集するための入力操作を受け付ける処理を示すフローチャートである。サイネージ編集装置１０Ａは、例えば、テロップデータの編集を開始するための入力操作（例えば、図９に示すインタフェースのテキスト本文１５１に対する入力操作）をユーザから受け付けることにより、図１２に示す処理を開始する。
【００９８】
ステップＳ１２１において、サイネージ編集装置１０Ａの制御部１０７は、番組情報１６１に含まれる画像データに対応づけられたテロップデータをファイル−テロップ対応テーブル１６３に基づいて参照し、テロップデータを編集するための入力操作を操作受付部１０３によって受け付ける。制御部１０７は、テロップデータを編集する前の、テロップデータの再生に要する再生時間をメモリに記憶する。
【００９９】
ステップＳ１２３において、制御部１０７は、ステップＳ１２１において編集されたテロップデータのテキスト本文の文字数、フォントサイズ、スクロール速度、スクロール方向その他のテロップデータの各設定に基づいて、テロップデータの再生に要する再生時間を算出する。
【０１００】
例えば、テロップデータに含まれるテキストをテロップペインの右端から左端へとスクロールさせる場合、テロップデータのテキストをスクロールさせる速さ（スクロール速度２６２Ｇ）と、テキストをスクロールさせる方向のテロップペインの大きさ（サイズ２６
２Ｃ）とに基づいて、テロップデータ本文の１文字のスクロールを完了させるのに要する時間を求めることができる。また、テロップデータのテキストのフォントサイズ（フォントサイズ２６２Ｅ）と、テキストをスクロールさせる速さ（スクロール速度２６２Ｇ）とに基づいて、テロップデータ本文を１文字分スクロールさせるのに要する時間を求めることができ、この１文字分のスクロールに要する時間と、テロップデータのテキスト本文の文字数とに基づいて、テロップペインの任意の位置においてテキスト本文の全ての文字のスクロールの完了に要する時間を求めることができる。制御部１０７は、例えばこのような算出方法に基づいて、テロップデータの再生に要する再生時間を算出する。
【０１０１】
ステップＳ１２５において、制御部１０７は、テロップデータの編集前と編集後における再生時間を比較する。比較の結果、テロップデータの編集前の再生時間と、ステップＳ１２３で算出される再生時間とが一致する場合（ステップＳ１２５において一致）、制御部１０７は処理を終了し、そうでない場合は（ステップＳ１２５において不一致）ステップＳ１２７の処理を行う。
【０１０２】
ステップＳ１２７において、制御部１０７は、テロップデータの編集後の再生時間が編集前の再生時間と一致するよう、テロップデータの各種パラメータ、テロップデータの表示方法（スクロール、フライ、フェード、スピンなどテロップデータのエフェクトの指定）、テロップに含まれるテキストを複数行で表示する設定とする等の調整をしてテロップデータを更新する。
【０１０３】
ここで、ステップＳ１２７の処理について、図１３を用いて詳しく説明する。図１３は、サイネージ編集装置１０Ａがテロップデータの表示の設定を更新する処理を示す図である。図１３において、横軸は再生時間の長さを示し、ファイル編成情報１６２に示される画像データの再生時間の設定を示している。図１３の例では、各画像データの再生時間１６２Ａを、画像データ１３１Ａ、１３１Ｂ、１３１Ｃおよび１３１Ｄに示す。また、ファイル編成情報１６２に示される各トランジションの再生時間１６２Ａを、トランジション１３２Ａ、１３２Ｂおよび１３２Ｃに示す。また、図１３では、ステップＳ１２３において算出されるテロップデータの再生時間に基づき、テロップデータが表示される時間を、テロップデータ１３３に示す。
【０１０４】
図１３の状態Ａに示すように、テロップデータの編集前は、番組情報１６１において、画像データおよびトランジションの再生時間と、テロップデータの再生時間とが一致しており、画像データの再生終了のタイミングとテロップデータの再生終了のタイミングとが同期している。
【０１０５】
ここで、状態Ｂに示すように、テロップデータを編集するための入力操作をサイネージ編集装置１０Ａが受け付けることにより、テロップデータの再生時間と画像データの再生時間とが同期しなくなったとする。状態Ｂの例では、テロップデータが編集されることにより、テロップデータ１３３に示すように、テロップデータが表示される時間が、画像データの再生の設定に示される再生時間よりも長くなっている。このとき、サイネージ編集装置１０Ａの制御部１０７は、テロップデータの編集前後の再生時間を比較して（ステップＳ１２５）、ステップＳ１２７の処理を行って、番組情報１６１を更新する。例えば、制御部１０７は、テロップデータのフォントの設定、テロップデータの表示効果の設定などを変更し、テロップデータの再生時間を短くする。
【０１０６】
その結果、状態Ｃに示すように、番組情報１６１において、画像データの再生時間（画像データ１３１Ａ、１３１Ｂ、１３１Ｃ、１３１Ｄ、トランジション１３２Ａ、１３２Ｂ、１３２Ｃ）とテロップデータの再生時間（テロップデータ１３３）とが同期する。
【０１０７】
サイネージ編集装置１０Ａは、このように、画像データの再生時間とテロップデータの再生時間とが同期するよう番組情報１６１を更新し、この番組情報１６１を配信サーバ２０Ａへ送信する。配信サーバ２０Ａは、サイネージ編集装置１０Ａから番組情報１６１を受信して、番組情報１６１に示されるように配信コンテンツ２６３を生成する。図１４は、配信サーバ２０Ａによる配信コンテンツ２６３を生成する処理を示すフローチャートである。例えば、配信サーバ２０Ａは、サイネージ編集装置１０Ａが番組情報１６１を配信サーバ２０へ送信するためサイネージ編集装置１０Ａと配信サーバ２０Ａとの通信接続を確立することにより、図１４に示す処理を開始する。
【０１０８】
ステップＳ１４１において、配信サーバ２０Ａの制御部２０７は、通信接続を確立したサイネージ編集装置１０Ａから番組情報１６１を受信する。
【０１０９】
ステップＳ１４３において、制御部２０７は、受信した番組情報１６１と、画像データ２６１と、テロップデータ２６２とに基づいて、配信コンテンツ２６３を生成し、生成した配信コンテンツ２６３を記憶部２０６に記憶する。
【０１１０】
このようにして生成された記憶部２０６は、配信スケジュール情報２６４に示されるスケジュールに応じて、配信サーバ２０Ａからサイネージ表示端末３０へと配信される。
【０１１１】
＜実施の形態１のまとめ＞
番組情報１６１に示される画像データの再生に要する再生時間と、テロップデータの再生に要する再生時間とが一致している状態から、テロップデータを編集するための入力操作をサイネージ編集装置１０Ａが受け付けることによって、画像データの再生時間とテロップデータの再生時間とが同期しなくなることがある。
【０１１２】
この場合に、サイネージ編集装置１０Ａは、番組情報１６１に示される画像データの再生時間とテロップデータの再生時間とが同期するよう、配信コンテンツ２６３のテロップペインに表示されるべきテロップデータの表示の設定を調整して番組情報１６１を更新する。
【０１１３】
実施の形態１のサイネージ編集装置１０Ａは、テロップデータの編集の前後における再生時間が一致しない場合に、画像データの再生時間とテロップデータの再生時間とを同期させるため、編集後のテロップデータの再生時間と編集前の再生時間とが一致するよう、テロップデータのフォントサイズ、スクロール速度、テロップデータの表示方法などのパラメータを調整する。テロップデータのパラメータとしては、他に、フォントの縦横比、フォントの種類（等幅フォント、プロポーショナルフォントなど）、テロップデータのテキストの文字間隔などがあり、サイネージ編集装置１０Ａは、これらパラメータを調整して、テロップデータの編集前後の再生時間を一致させることとしてもよい。
【０１１４】
実施の形態１のサイネージシステム１によると、画像データの再生時間にあわせて、編集後のテロップデータの再生時間を調整する。そのため、例えば、広告として配信コンテンツ２６３をサイネージ表示端末３０に表示する時間が予め定められている場合に、広告主側のユーザが、テロップデータのテキスト本文を変更したとしても、テロップデータの表示時間をサイネージ編集装置１０Ａが調整するため、ユーザの利便性が高まる。
【０１１５】
＜実施の形態２＞
次に、実施の形態２のサイネージシステムを説明する。実施の形態１のサイネージシステム１のサイネージ編集装置１０Ａは、テロップデータの再生時間を調整することで、画像データの再生時間とテロップデータの再生時間とを同期させている。実施の形態２のサイネージシステムでは、サイネージ編集装置１０Ａは、テロップデータの編集をするため
の入力操作を受け付けた場合に、編集後のテロップデータの再生時間と、画像データの再生時間とが一致するよう、画像データの再生時間を調整する。
【０１１６】
図１５は、実施の形態２のサイネージ編集装置１０Ａが番組情報１６１を編集するための入力操作を受け付ける処理を示すフローチャートである。図１５において、ステップＳ１２１およびステップＳ１２３の処理は、実施の形態１で説明したものと同様であるため説明を繰り返さない。
【０１１７】
ステップＳ１５５において、テロップデータの編集後の再生時間と、画像データの再生時間とを比較する。比較の結果、テロップデータの編集後の再生時間と、画像データの再生時間とが一致している場合（ステップＳ１５５において一致）、制御部１０７は処理を終了し、そうでない場合は（ステップＳ１５５において不一致）、ステップＳ１５７の処理を行う。
【０１１８】
ステップＳ１５７において、制御部１０７は、テロップデータの編集後の再生時間と、画像データの再生時間とが一致するよう、番組情報１６１に基づいて、画像を静止する時間（再生時間１６２Ａの長さ）、画像を切り替える際のトランジションの時間など、画像データの表示をするための各種の設定を調整して番組情報１６１を更新する。
【０１１９】
ここで、ステップＳ１５７の処理について、図１６を用いて詳しく説明する。図１６は、サイネージ編集装置１０Ａがテロップデータの表示の設定を更新する処理を示す図である。図１６において、横軸は再生時間の長さを示し、ファイル編成情報１６２に示される画像データの再生時間の設定を示している。
【０１２０】
図１６の状態Ａに示すように、テロップデータの編集前は、番組情報１６１において、画像データおよびトランジションの再生時間と、テロップデータの再生時間とが一致しており、画像データの再生終了のタイミングとテロップデータの再生終了のタイミングとが同期している。
【０１２１】
ここで、状態Ｂに示すように、テロップデータを編集するための入力操作をサイネージ編集装置１０Ａが受け付けることにより、テロップデータの再生時間と画像データの再生時間とが同期しなくなったとする。状態Ｂの例では、テロップデータが編集されることにより、テロップデータ１３３に示すように、テロップデータが表示される時間が、画像データの再生の設定に示される再生時間よりも長くなっている。このとき、サイネージ編集装置１０Ａの制御部１０７は、テロップデータの編集後の再生時間と、画像データの再生時間とを比較して（ステップＳ１５５）、ステップＳ１５７の処理を行って、番組情報１６１を更新する。例えば、制御部１０７は、各画像データの再生時間を長くする、トランジションの再生時間を長くする等の処理を行う。
【０１２２】
その結果、状態Ｃに示すように、番組情報１６１において、画像データの再生時間（画像データ１３１Ａ、１３１Ｂ、１３１Ｃ、１３１Ｄ、トランジション１３２Ａ、１３２Ｂ、１３２Ｃ）とテロップデータの再生時間（テロップデータ１３３）とが同期する。状態Ｃに示す例では、ステップＳ１５７の処理により、画像データ１３１Ｂに示される画像データの再生時間と、トランジション１３２Ｂの再生時間とが長くなっている。
【０１２３】
＜実施の形態２のまとめ＞
実施の形態２のサイネージシステムによると、サイネージ編集装置１０Ａは、テロップデータの編集後の再生時間にあわせて、画像データの再生時間を調整する。そのため、例えば、テロップペインにおいてテキストで情報を表示することをユーザが重視したい場合に、サイネージ編集装置１０Ａがテロップデータの表示時間にあわせて画像データの表示
時間を調整するため、ユーザの利便性が高まる。例えば、展示物を示す画像と、その展示物の説明とを配信コンテンツ２６３に含めてサイネージ表示端末３０に表示する場合（例えば、販売促進用の商品の画像とテキストによる説明を含む配信コンテンツ２６３を、店舗等のディスプレイやタブレット端末に表示する場合など）がある。このとき、ユーザがテロップデータのテキストを適宜変更したとしても、テロップデータの再生時間の変動にあわせて画像データの再生時間をサイネージ編集装置１０Ａが調整するため、ユーザは、テロップペインに表示するテキストの作成に注力することができ、利便性が高まる。
【０１２４】
＜実施の形態３＞
次に、実施の形態３のサイネージシステムを説明する。実施の形態３のサイネージシステムでは、サイネージ編集装置１０Ａは、テロップデータの編集をするための入力操作を受け付けた場合に、編集後のテロップデータの再生時間と、画像データの再生時間とが一致するよう、テロップデータの再生時間と画像データの再生時間の両方を調整する。
【０１２５】
図１７は、実施の形態３のサイネージ編集装置１０Ａが番組情報１６１を編集するための入力操作を受け付ける処理を示すフローチャートである。図１７において、ステップＳ１２１、ステップＳ１２３およびステップＳ１５５の処理は、実施の形態１と実施の形態２で同様の説明をしているため、説明を繰り返さない。
【０１２６】
ステップＳ１５５において、テロップデータの編集後の再生時間と、画像データの再生時間とが一致していない場合（ステップＳ１５５において不一致）、制御部１０７は、ステップＳ１７７の処理を行う。
【０１２７】
ステップＳ１７６において、制御部１０７は、テロップデータと画像データの再生時間を同期させるため、目標とする再生時間を設定する。例えば、制御部１０７は、編集後のテロップデータの再生時間の長さと、画像データの再生時間の長さとの間の任意の時間を、目標とする再生時間として設定してもよい。
【０１２８】
ステップＳ１７７において、制御部１０７は、ステップＳ１７６で設定した目標の再生時間と一致するよう、番組情報１６１に基づいて、テロップデータの表示の設定と、画像データの表示の設定とを調整し、番組情報１６１を更新する。
【０１２９】
ここで、ステップＳ１７６およびステップＳ１７７の処理について、図１８を用いて詳しく説明する。図１８は、サイネージ編集装置１０Ａがテロップデータの表示の設定を更新する処理を示す図である。
【０１３０】
図１６の状態Ａに示すように、テロップデータを編集するための入力操作をサイネージ編集装置１０Ａが受け付けることにより、テロップデータの再生時間と画像データの再生時間とが同期しなくなったとする。
【０１３１】
このとき、状態Ｂに示すように、サイネージ編集装置１０Ａの制御部１０７は、テロップデータの編集後の再生時間と、画像データの再生時間とを比較して（ステップＳ１５５）、ステップＳ１７６の処理を行って、目標とする再生時間を設定する。
【０１３２】
その結果、状態Ｃに示すように、制御部１０７は、ステップＳ１７７の処理を行って、番組情報１６１において、画像データの再生時間とテロップデータの再生時間とが同期する。例えば、制御部１０７は、テロップデータの再生時間を短くするとともに、各画像データの再生時間を長くする、トランジションの再生時間を長くする等の処理を行うことで、画像データの再生時間とテロップデータの再生時間とを、目標とする再生時間に一致させる。
【０１３３】
＜実施の形態３のまとめ＞
実施の形態３のサイネージシステムによると、サイネージ編集装置１０Ａは、目標とする再生時間を設定し、設定した再生時間と一致するようテロップデータの編集後の再生時間と、画像データの再生時間とを調整する。そのため、ユーザは、テロップデータの編集時に、テロップデータの再生時間を柔軟に設定しつつ、テロップデータと画像データの再生時間を同期させることができる。
【０１３４】
＜実施の形態４＞
次に、実施の形態４のサイネージシステムを説明する。実施の形態４のサイネージシステムでは、サイネージ編集装置１０Ａは、テロップデータの編集をするための入力操作を受け付ける。配信サーバ２０Ａは、サイネージ編集装置１０Ａから番組情報１６１を受信して、画像データの再生時間とテロップデータの再生時間とを比較する。配信サーバ２０Ａは、これら画像データとテロップデータの再生時間が同期していない場合は、画像データの再生時間とテロップデータの再生時間とを同期させるため、配信コンテンツ２６３の画像ペインに表示されるべき画像データの表示の設定と、テロップペインに表示されるべきテロップデータの表示の設定との少なくともいずれかを調整して番組情報１６１を更新する処理を行う。すなわち、実施の形態１から実施の形態３では、番組情報１６１の画像データの再生時間とテロップデータの再生時間とを同期させる処理をサイネージ編集装置１０Ａが行っていたが、実施の形態４では、この処理を配信サーバ２０Ａで行う。
【０１３５】
図１９は、実施の形態４の配信サーバ２０Ａが番組情報１６１の各種設定を調整し、コンテンツを生成する処理を示すフローチャートである。例えば、配信サーバ２０Ａは、サイネージ編集装置１０Ａが番組情報１６１を配信サーバ２０へ送信するためサイネージ編集装置１０Ａと配信サーバ２０Ａとの通信接続を確立することにより、図１９に示す処理を開始する。
【０１３６】
ステップＳ１４１において、配信サーバ２０Ａの制御部２０７は、通信接続を確立したサイネージ編集装置１０Ａから番組情報１６１を受信する。
【０１３７】
ステップＳ１２３において、制御部２０７は、番組情報１６１に含まれる画像データに対応付けられたテロップデータを、ファイル−テロップ対応テーブル１６３に基づいて参照し、テロップデータのテキスト本文の文字数、フォントサイズ、スクロール速度、スクロール方向その他のテロップデータの各設定に基づいて、テロップデータの再生に要する再生時間を算出する。テロップデータの再生時間の算出方法は、実施の形態１で説明したものと同様のものを用いることができるため、説明を繰り返さない。
【０１３８】
ステップＳ１５５において、制御部２０７は、テロップデータの再生時間と、画像データの再生時間とを比較する。比較の結果、テロップデータの再生時間と、画像データの再生時間とが一致している場合（ステップＳ１５５において一致）、制御部２０７は処理を終了し、そうでない場合は（ステップＳ１５５において不一致）、ステップＳ１９７の処理を行う。
【０１３９】
ステップＳ１９７において、制御部２０７は、テロップデータの再生時間と、画像データの再生時間とが一致するよう、番組情報１６１のファイル−テロップ対応テーブル１６３に基づいて、テロップデータの各種パラメータ、テロップデータの表示方法（スクロール、フライ、フェード、スピンなどテロップデータのエフェクトの指定）を調整してテロップデータ２６２を更新する。
【０１４０】
ステップＳ１４３において、制御部２０７は、番組情報１６１と、画像データ２６１と
、テロップデータ２６２とに基づいて配信コンテンツ２６３を生成し、生成した配信コンテンツ２６３を記憶部２０６に記憶する。
【０１４１】
＜実施の形態４のまとめ＞
実施の形態４のサイネージシステムによると、テロップデータを編集するための入力操作をサイネージ編集装置１０Ａが受け付ける。配信サーバ２０Ａは、テロップデータの編集等により画像データとテロップデータの再生時間とが一致しなくなった場合に、画像データとテロップデータの再生時間を同期させるよう番組情報１６１を更新する処理と、番組情報１６１に基づいて配信コンテンツ２６３を生成する処理とを行う。
【０１４２】
このように、配信サーバ２０Ａ側で、画像データとテロップデータの再生時間を同期させる処理を行うため、サイネージ編集装置１０Ａ側は、番組情報１６１を編集するための入力操作を受け付ける構成があればよく、画像データとテロップデータの再生時間を一致させるための構成をサイネージ編集装置１０Ａで有することなくユーザの利便性を向上させることができる。例えば、配信サーバ２０Ａによって配信コンテンツ２６３を配信するサービスを提供する事業者がある場合に、サービスの利用者は、汎用の情報処理装置に、番組情報１６１を編集するための環境を用意する（例えば、番組情報１６１やテロップデータを編集するためのプログラムをサイネージ編集装置１０Ａにインストールする、または、インターネット閲覧用のブラウザを通じて番組情報１６１を編集する環境を配信サーバ２０Ａが提供する等）ことでサービスを利用できる。また、画像データとテロップデータの再生時間を同期させるための処理を配信サーバ２０Ａが担うため、ユーザの利便性を高めることができる。
【０１４３】
＜実施の形態５＞
次に、実施の形態５のサイネージシステムを説明する。実施の形態５のサイネージシステムは、サイネージ編集装置１０Ｂが番組情報１６１の編集をするための入力操作を受け付けて、番組情報１６１を更新し、番組情報１６１に基づいて配信コンテンツ２６３を生成する。サイネージ編集装置１０Ｂは、生成した配信コンテンツ２６３を配信サーバ２０Ｂへ送信する。配信サーバ２０Ｂは、サイネージ編集装置１０Ｂから配信コンテンツ２６３を受信して、受信した配信コンテンツ２６３をサイネージ表示端末３０へ配信する。
【０１４４】
＜Ａ．構成＞
実施の形態５のサイネージ編集装置１０Ｂおよび配信サーバ２０Ｂの構成を説明する。
【０１４５】
＜Ａ１．サイネージ編集装置１０Ｂの構成＞
図２０は、サイネージ編集装置１０Ｂの構成を示すブロック図である。図２０を参照して、サイネージ編集装置１０Ａは、アンテナ１０１と、通信処理部１０２と、操作受付部１０３と、ディスプレイ１０４と、入出力Ｉ／Ｆ１０５と、記憶部１０６と、制御部１０７とを含む。
【０１４６】
図２０に示すように、サイネージ編集装置１０Ｂの記憶部１０６は、番組情報１６１と、画像データ２６１と、テロップデータ２６２と、配信コンテンツ２６３とを記憶する。制御部１０７は、プログラムを読み込んで実行することにより、番組情報編集部１７１と、コンテンツ生成部２７２と、送信制御部１７２との各機能を発揮する。
【０１４７】
制御部１０７のコンテンツ生成部２７２は、番組情報１６１に示される各種の設定に従って、画像データ２６１とテロップデータ２６２とに基づいて、配信コンテンツ２６３を生成する。送信制御部１７２は、コンテンツ生成部２７２の機能によって生成される配信コンテンツ２６３を、配信サーバ２０Ｂへ送信する等の処理を制御する。
【０１４８】
＜Ａ２．配信サーバ２０Ｂの構成＞
図２１は、配信サーバ２０Ｂの構成を示すブロック図である。図２１を参照して、配信サーバ２０Ｂは、通信処理部２０２と、入出力Ｉ／Ｆ２０５と、記憶部２０６と、制御部２０７とを含む。
【０１４９】
記憶部２０６は、配信コンテンツ２６３と、配信スケジュール情報２６４とを記憶する。
【０１５０】
制御部２０７は、プログラムを読み込んで実行することにより、受信処理部２７１と、配信処理部２７３との各機能を発揮する。受信処理部２７１は、サイネージ編集装置１０Ｂと通信接続を確立し、サイネージ編集装置１０Ｂから配信コンテンツ２６３を受信する等の処理を行う。
【０１５１】
＜Ｂ．動作＞
次に、実施の形態５のサイネージシステムを構成する装置の動作を説明する。実施の形態５では、サイネージ編集装置１０Ｂが配信コンテンツ２６３を生成する。なお、番組情報１６１を編集するための入力操作を受け付けて、画像データの再生時間とテロップデータの再生時間とを同期させる処理は、他の実施の形態で説明したため、説明を繰り返さない。
【０１５２】
図２２は、実施の形態５のサイネージ編集装置１０Ｂが、コンテンツを生成して配信サーバ２０Ｂへ送信する処理を示すフローチャートである。
【０１５３】
ステップＳ２２１において、サイネージ編集装置１０Ｂの制御部１０７は、例えばユーザの入力操作に基づいて、配信コンテンツ２６３を生成するための指示を受け付ける。
【０１５４】
ステップＳ１４３において、制御部１０７は、番組情報１６１と、画像データ２６１と、テロップデータ２６２とに基づいて、配信コンテンツ２６３を生成し、生成した配信コンテンツ２６３を記憶部１０６に記憶する。
【０１５５】
ステップＳ２２５において、制御部１０７は、配信サーバ２０Ｂと通信接続を確立し、ステップＳ１４３の処理で生成された配信コンテンツ２６３を配信サーバ２０Ｂへ送信する。
【０１５６】
＜実施の形態５のまとめ＞
実施の形態５のサイネージシステムによると、テロップデータを編集するための入力操作を受け付ける処理と、テロップデータの編集等により画像データとテロップデータの再生時間が一致しなくなった場合にこれら再生時間を同期させて番組情報１６１を更新する処理と、番組情報１６１に基づいて配信コンテンツ２６３を生成する処理とをサイネージ編集装置１０Ｂが行う。配信サーバ２０Ｂは、サイネージ編集装置１０Ｂから配信コンテンツ２６３を受信して、配信スケジュールに従ってサイネージ表示端末３０へ配信コンテンツ２６３を配信する。このように、番組情報１６１を編集するための装置において、配信コンテンツ２６３を生成することができる。
【０１５７】
＜実施の形態６＞
次に、実施の形態６のサイネージシステムを説明する。実施の形態５のサイネージシステムは、コンテンツ管理装置１０Ｃが、コンテンツを編集するための機能と、コンテンツをサイネージ表示端末３０へ配信する機能とを有する。
【０１５８】
図２３は、実施の形態６のサイネージシステムの構成を示す図である。図２３を参照し
て、実施の形態６のサイネージシステムは、コンテンツ管理装置１０Ｃと、サイネージ表示端末３０（サイネージ表示端末３０Ａ、サイネージ表示端末３０Ｂ）とを含む。コンテンツ管理装置１０Ｃと、サイネージ表示端末３０とは、ネットワーク９０を介して接続される。
【０１５９】
＜Ａ．構成＞
実施の形態６のコンテンツ管理装置１０Ｃの構成を説明する。図２４は、コンテンツ管理装置１０Ｃの構成を示すブロック図である。図２４を参照して、コンテンツ管理装置１０Ｃは、アンテナ１０１と、通信処理部１０２と、操作受付部１０３と、ディスプレイ１０４と、入出力Ｉ／Ｆ１０５と、記憶部１０６と、制御部１０７とを含む。
【０１６０】
記憶部１０６は、番組情報１６１と、画像データ２６１と、テロップデータ２６２と、配信コンテンツ２６３と、配信スケジュール情報２６４とを記憶する。
【０１６１】
制御部１０７は、プログラムに従って動作することにより、番組情報編集部１７１と、コンテンツ生成部２７２と、配信処理部２７３との各機能を発揮する。コンテンツ生成部２７２は、番組情報１６１に示される各種の設定に従って、画像データ２６１とテロップデータ２６２とを読み出して、サイネージ表示端末３０への配信の対象となる配信コンテンツ２６３を生成する。配信処理部２７３は、配信コンテンツ２６３を、外部の表示装置（例えば、サイネージ表示端末３０）に表示させるため、コンテンツ管理装置１０Ｃの外部に配信コンテンツ２６３を出力する。配信処理部２７３は、配信スケジュール情報２６４に示される、各コンテンツを配信するスケジュールに応じて、配信コンテンツ２６３をコンテンツ管理装置１０Ｃからサイネージ表示端末３０へ配信する。表示制御部２７４は、ディスプレイ１０４の表示を制御する。
【０１６２】
＜Ｂ．動作＞
実施の形態６のコンテンツ管理装置１０Ｃの動作を説明する。なお、番組情報１６１を編集するための入力操作を受け付けて、画像データの再生時間とテロップデータの再生時間とを同期させる処理は、他の実施の形態で説明したため、説明を繰り返さない。図２５は、実施の形態６のコンテンツ管理装置１０Ｃが、コンテンツを生成する処理を示すフローチャートである。
【０１６３】
ステップＳ２２１において、コンテンツ管理装置１０Ｃの制御部１０７は、例えばユーザの入力操作に基づいて、配信コンテンツ２６３を生成するための指示を受け付ける。
【０１６４】
ステップＳ１４３において、制御部１０７は、番組情報１６１と、画像データ２６１と、テロップデータ２６２とに基づいて、配信コンテンツ２６３を生成し、生成した配信コンテンツ２６３を記憶部１０６に記憶する。
【０１６５】
ステップＳ２５５において、制御部１０７は、ステップＳ１４３で生成した配信コンテンツ２６３のプレビューをディスプレイ１０４へ表示する。
【０１６６】
＜実施の形態６のまとめ＞
実施の形態６のサイネージシステムは、各実施の形態１〜実施の形態５において、サイネージ編集装置１０と配信サーバ２０とが担っていた機能を、実施の形態６のコンテンツ管理装置１０Ｃが有している。すなわち、コンテンツ管理装置１０Ｃは、番組情報１６１の編集をするための入力操作を受け付ける処理と、画像データとテロップデータの再生時間を同期させる処理と、配信コンテンツ２６３を生成してサイネージ表示端末３０へ配信する処理とを行う。
【０１６７】
このようにコンテンツ管理装置１０Ｃがコンテンツを配信するためのサーバとしての機能をも有するため、例えば、コンテンツ管理装置１０Ｃとサイネージ表示端末３０とが直接接続する通信環境において、サイネージシステムによる配信コンテンツ２６３の配信機能を利用することもできる。例えば、ラップトップ型のコンテンツ管理装置１０Ｃを無線ＬＡＮ（Local  Area  Network）のアクセスポイントとし、サイネージ表示端末３０Ａおよびサイネージ表示端末３０Ｂがコンテンツ管理装置１０Ｃと無線ＬＡＮ規格に従って通信接続を確立すること等により、コンテンツ管理装置１０Ｃで生成したコンテンツをサイネージ表示端末３０へ配信することができる。
【０１６８】
また、コンテンツ管理装置１０Ｃで生成したコンテンツを、外部のメモリを経由してサイネージ表示端末３０に表示させることもできる。例えば、記録媒体５０等の、コンテンツ管理装置１０Ｃの外部のメモリ（例えば、ＵＳＢメモリ）にコンテンツを記憶させる。この外部のメモリをサイネージ表示端末３０に装着する。サイネージ表示端末３０は、外部のメモリから、コンテンツ管理装置１０Ｃが生成したコンテンツを読み出してタッチスクリーン３０４等のディスプレイに表示する。
【０１６９】
＜実施の形態６の変形例＞
なお、実施の形態６の説明では、サイネージシステムは、コンテンツ管理装置１０Ｃと、サイネージ表示端末３０とを含むものとしているが、コンテンツ管理装置１０Ｃが、サイネージ表示端末３０の機能を併せて発揮することとしてもよい。図２４に示すコンテンツ管理装置１０Ｃの表示制御部２７４は、配信コンテンツ２６３をディスプレイ１０４に表示する処理を制御する。例えば、表示制御部２７４は、配信スケジュール情報２６４に示される、各コンテンツを配信するスケジュールに従って、配信コンテンツ２６３をディスプレイ１０４に表示する。
【０１７０】
＜まとめ＞
上記のように、実施の形態１〜実施の形態６のサイネージシステムについて説明した。各実施の形態で説明したように、本発明のサイネージ編集装置１０、配信サーバ２０およびサイネージ表示端末３０は、プロセッサと、その上で実行されるプログラムにより実現される。本発明を実現するプログラムは、通信インタフェースを介してネットワークを利用した送受信等により提供される。各実施の形態で説明したサイネージシステムは、以下の構成を有する。
【０１７１】
（１）サイネージシステムは、コンテンツを配信する配信サーバ２０と、コンテンツを再生するサイネージ表示端末３０と、コンテンツの構成を編集するサイネージ編集装置１０とにより構成される。配信される配信コンテンツ２６３は、静止画または動画の少なくともいずれかが表示される画像ペイン１８１と、文字が表示されるテロップペイン１８２とを含んでいる。
【０１７２】
配信サーバ２０は、１以上の画像データ２６１と、１以上のテロップデータ２６２とを記憶する記憶部２０６を備える。
【０１７３】
サイネージ編集装置１０は、画像ペイン１８１に表示されるべき画像データ２６１の表示の設定およびテロップペイン１８２に表示されるべきテロップデータ２６２の表示の設定を示す番組情報１６１を記憶するための記憶部１０６と、番組情報１６１に示されるテロップデータ２６２を編集するための入力操作を受け付ける操作受付部１０３と、サイネージ編集装置１０の動作を制御するための制御部１０７とを備える。
【０１７４】
制御部１０７は、操作受付部１０３により受け付けたテロップデータ２６２の編集の内容に応じて番組情報１６１を更新する番組情報編集部１７１と、更新された番組情報１６
１を配信サーバ２０へ送信する送信制御部１７２とを含む。
【０１７５】
配信サーバ２０は、サイネージ編集装置１０によって更新された番組情報１６１をサイネージ編集装置１０から受信する受信処理部２７１と、受信した番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３をサイネージ表示端末３０に配信する配信処理部２７３とを備える。
【０１７６】
これにより、テロップデータ２６２を編集するための入力操作がなされた場合に、画像データ２６１とテロップデータ２６２の再生時間とが同期した配信コンテンツ２６３が配信サーバ２０によって生成されるため、ユーザは、コンテンツを容易に生成することができ、ユーザの利便性が高まる。
【０１７７】
（２）サイネージ編集装置１０の番組情報編集部１７１は、テロップデータ２６２の編集を操作受付部１０３により受け付けた場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新する。
【０１７８】
これにより、サイネージ編集装置１０において、画像データ２６１とテロップデータ２６２の再生時間が同期するよう番組情報１６１が更新される。そのため、サイネージ編集装置１０のユーザは、画像データ２６１とテロップデータ２６２との再生時間を同期させた番組情報１６１を容易に確認することができ、再生時間を同期させる処理がなされた番組情報１６１を確認しつつ、コンテンツを編集することができる。
【０１７９】
（３）サイネージ編集装置１０の番組情報編集部１７１がテロップデータ２６２の再生時間を取得することは、番組情報編集部１７１が、テロップデータ２６２の表示の設定に示されるテロップのテキストとテロップのスクロールスピードとに基づいて、テロップデータ２６２の再生時間を算出することを含む。
【０１８０】
番組情報１６１に示される画像データ２６１の再生時間とテロップデータ２６２の再生時間とが同期するよう設定を更新することは、画像データ２６１の再生時間に一致するよう、テロップデータ２６２のフォントの設定と、テロップデータの表示効果の設定とのうち少なくともいずれかを変更することを含む。
【０１８１】
これにより、画像データ２６１の再生時間にあわせて、編集後のテロップデータ２６２の再生時間が調整される。例えば、配信コンテンツ２６３をサイネージ表示端末３０に表示する時間が予め定められている場合に、広告主側のユーザが、テロップデータのテキスト本文を変更したとしても、テロップデータの表示時間をサイネージ編集装置１０Ａが調整するため、ユーザの利便性が高まる。
【０１８２】
（４）サイネージ編集装置１０の番組情報編集部１７１が番組情報１６１に示される画像データ２６１の再生時間とテロップデータ２６２の再生時間とが同期するよう設定を更新することは、番組情報編集部１７１が、テロップデータ２６２の再生時間に一致するよう、画像データ２６１を表示する時間と、画像データ２６１の表示に伴う特殊効果に要する時間とのうち少なくともいずれか一方を変更することを含む。
【０１８３】
これにより、編集後のテロップデータ２６２の再生時間にあわせて、画像データ２６１の再生時間が調整される。例えば、テロップペインにおいてテキストで情報を表示することをユーザが重視したい場合に、サイネージ編集装置１０Ａがテロップデータの表示時間
にあわせて画像データの表示時間を調整するため、ユーザの利便性が高まる。
【０１８４】
（５）配信サーバ２０のコンテンツ生成部２７２は、受信処理部２７１により番組情報１６１をサイネージ編集装置１０から受信した場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新し、更新後の番組情報１６１に基づいてサイネージ用の配信コンテンツ２６３を生成する。
【０１８５】
これにより、配信サーバ２０側で、画像データとテロップデータの再生時間を同期させる処理を行うことができる。そのため、サイネージ編集装置１０側は、番組情報１６１を編集するための入力操作を受け付ける構成があればよく、画像データとテロップデータの再生時間を一致させるための構成をサイネージ編集装置１０で有することなくユーザの利便性を向上させることができる。
【０１８６】
（６）配信サーバ２０のコンテンツ生成部２７２がテロップデータ２６２の再生時間を取得することは、コンテンツ生成部２７２が、テロップデータ２６２の表示の設定に示されるテロップのテキストとテロップのスクロールスピードとに基づいて、テロップデータ２６２の再生時間を算出することを含む。
【０１８７】
番組情報１６１に示される画像データ２６１の再生時間とテロップデータ２６２の再生時間とが同期するよう設定を更新することは、画像データ２６１の再生時間に一致するよう、テロップデータ２６２のフォントの設定と、テロップデータの表示効果の設定とのうち少なくともいずれかを変更することを含む。
【０１８８】
これにより、画像データ２６１の再生時間にあわせて、編集後のテロップデータ２６２の再生時間が調整される。
【０１８９】
（７）配信サーバ２０のコンテンツ生成部２７２が番組情報１６１に示される画像データ２６１の再生時間とテロップデータ２６２の再生時間とが同期するよう設定を更新することは、コンテンツ生成部２７２が、テロップデータ２６２の再生時間に一致するよう、画像データ２６１を表示する時間と、画像データ２６１の表示に伴う特殊効果に要する時間とのうち少なくともいずれか一方を変更することを含む。
【０１９０】
これにより、編集後のテロップデータ２６２の再生時間にあわせて、画像データ２６１の再生時間が調整される。
【０１９１】
（８）別の実施形態のサイネージシステムは、コンテンツを配信する配信サーバ２０と、コンテンツを再生するサイネージ表示端末３０と、コンテンツの構成を編集してコンテンツを生成するサイネージ編集装置１０とにより構成される。配信される配信コンテンツ２６３は、静止画または動画の少なくともいずれかが表示される画像ペイン１８１と、文字が表示されるテロップペイン１８２とを含んでいる。
【０１９２】
サイネージ編集装置１０は、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１を記憶するための記憶部１０６と、番組情報１６１に示されるテロップデータ２６２を編集するための入力操作を受け付ける操作受付部１０３と、サイネージ編集装置１０の動作を制御するための制御部１０７とを備る。
【０１９３】
制御部１０７は、操作受付部１０３により受け付けたテロップデータ２６２の編集の内容に応じて番組情報１６１を更新する番組情報編集部１７１と、更新された番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３を配信サーバ２０へ送信する送信制御部１７２とを含む。
【０１９４】
配信サーバ２０は、サイネージ編集装置１０によって生成された配信コンテンツ２６３を受信する受信処理部２７１と、受信した配信コンテンツ２６３をサイネージ表示端末３０に配信する配信処理部２７３とを備える。
【０１９５】
これにより、番組情報１６１を編集するための装置（サイネージ編集装置１０）において、配信コンテンツ２６３を生成することができる。
【０１９６】
（９）サイネージ編集装置１０の番組情報編集部１７１は、テロップデータ２６２の編集を操作受付部１０３により受け付けた場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新する。コンテンツ生成部２７２は、更新された番組情報１６１に基づいて配信コンテンツ２６３を生成する。
【０１９７】
これにより、番組情報１６１を編集するための装置（サイネージ編集装置１０）において、配信コンテンツ２６３を生成することができる。
【０１９８】
（１０）サイネージ編集装置１０の番組情報編集部１７１がテロップデータ２６２の再生時間を取得することは、番組情報編集部１７１が、テロップデータ２６２の表示の設定に示されるテロップのテキストとテロップのスクロールスピードとに基づいて、テロップデータ２６２の再生時間を算出することを含む。
【０１９９】
番組情報１６１に示される画像データ２６１の再生時間とテロップデータ２６２の再生時間とが同期するよう設定を更新することは、画像データ２６１の再生時間に一致するよう、テロップデータ２６２のフォントの設定と、テロップデータの表示効果の設定とのうち少なくともいずれかを変更することを含む。コンテンツ生成部２７２は、更新された番組情報１６１に基づいて配信コンテンツを生成する。
【０２００】
これにより、番組情報１６１を編集するための装置（サイネージ編集装置１０）において、配信コンテンツ２６３を生成することができ、また、画像データ２６１の再生時間にあわせて、編集後のテロップデータ２６２の再生時間が調整される。
【０２０１】
（１１）サイネージ編集装置１０の番組情報編集部１７１が番組情報１６１に示される画像データ２６１の再生時間とテロップデータ２６２の再生時間とが同期するよう設定を更新することは、番組情報編集部１７１が、テロップデータ２６２の再生時間に一致するよう、画像データ２６１を表示する時間と、画像データ２６１の表示に伴う特殊効果に要する時間とのうち少なくともいずれか一方を変更することを含む。コンテンツ生成部２７２は、更新された番組情報１６１に基づいて配信コンテンツ２６３を生成する。
【０２０２】
これにより、番組情報１６１を編集するための装置（サイネージ編集装置１０）において、配信コンテンツ２６３を生成することができ、また、テキストで情報を表示することをユーザが重視したい場合に、サイネージ編集装置１０Ａがテロップデータの表示時間にあわせて画像データの表示時間を調整するため、ユーザの利便性が高まる。
【０２０３】
（１２）別の実施形態のサイネージシステムは、コンテンツの構成を編集し、編集結果に基づき配信コンテンツ２６３を生成し、生成した配信コンテンツ２６３を配信するコンテンツ管理装置１０Ｃと、配信コンテンツ２６３を再生するサイネージ表示端末３０とにより構成される。配信コンテンツ２６３は、静止画または動画の少なくともいずれかが表示される画像ペイン１８１と、文字が表示されるテロップペイン１８２とを含んでいる。
【０２０４】
コンテンツ管理装置１０Ｃは、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するための記憶部１０６と、番組情報１６１に示されるテロップデータ２６２を編集するための入力操作を受け付ける操作受付部１０３と、コンテンツ管理装置１０Ｃの動作を制御するための制御部１０７とを備える。
【０２０５】
制御部１０７は、操作受付部１０３により受け付けたテロップデータ２６２の編集の内容に応じて番組情報１６１を更新する番組情報編集部１７１と、更新された番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３をサイネージ表示端末３０へ配信する配信処理部２７３とを含む。
【０２０６】
サイネージ表示端末３０は、コンテンツ管理装置１０Ｃから配信される配信コンテンツ２６３を受信する受信処理部３７１と、受信した配信コンテンツ２６３を表示するためのタッチスクリーン３０４とを備える。
【０２０７】
これにより、コンテンツ管理装置１０Ｃがコンテンツを配信するためのサーバとしての機能をも有するため、例えば、コンテンツ管理装置１０Ｃとサイネージ表示端末３０とが直接接続する通信環境において、サイネージシステムによる配信コンテンツ２６３の配信機能を利用することもできる。
【０２０８】
（１３）コンテンツ管理装置１０Ｃの番組情報編集部１７１は、テロップデータ２６２の編集を操作受付部１０３により受け付けた場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新する。コンテンツ生成部２７２は、更新された番組情報１６１に基づいて配信コンテンツ２６３を生成する。
【０２０９】
これにより、コンテンツ管理装置１０Ｃを、コンテンツを配信するためのサーバとしても機能させることができる。
【０２１０】
（１４）コンテンツ管理装置１０Ｃの番組情報編集部１７１がテロップデータ２６２の再生時間を取得することは、番組情報編集部１７１が、テロップデータ２６２の表示の設定に示されるテロップのテキストとテロップのスクロールスピードとに基づいて、テロップデータの再生時間を算出することを含む。
【０２１１】
番組情報１６１に示される画像データ２６１の再生時間とテロップデータ２６２の再生時間とが同期するよう設定を更新することは、画像データ２６１の再生時間に一致するよう、テロップデータ２６２のフォントの設定と、テロップデータ２６２の表示効果の設定とのうち少なくともいずれかを変更することを含み、コンテンツ生成部２７２は、更新さ
れた番組情報１６１に基づいて配信コンテンツ２６３を生成する。
【０２１２】
これにより、コンテンツ管理装置１０Ｃを、コンテンツを配信するためのサーバとしても機能させ、また、画像データ２６１の再生時間にあわせて、編集後のテロップデータ２６２の再生時間が調整される。
【０２１３】
（１５）コンテンツ管理装置１０Ｃの番組情報編集部１７１が番組情報１６１に示される画像データ２６１の再生時間とテロップデータ２６２の再生時間とが同期するよう設定を更新することは、番組情報編集部１７１が、テロップデータ２６２の再生時間に一致するよう、画像データ２６１を表示する時間と、画像データ２６１の表示に伴う特殊効果に要する時間とのうち少なくともいずれか一方を変更することを含む。コンテンツ生成部２７２は、更新された番組情報１６１に基づいてコンテンツを生成する。
【０２１４】
これにより、コンテンツ管理装置１０Ｃを、コンテンツを配信するためのサーバとしても機能させ、また、テロップペインにおいてテキストで情報を表示することをユーザが重視したい場合に、コンテンツ管理装置１０Ｃがテロップデータの表示時間にあわせて画像データの表示時間を調整するため、ユーザの利便性が高まる。
【０２１５】
（１６）上記の実施の形態で説明したサイネージ編集装置１０は、コンテンツを配信する配信サーバ２０と、コンテンツを再生するサイネージ表示端末３０と、コンテンツの構成を編集するサイネージ編集装置１０とを含むサイネージシステムを構成する。配信される配信コンテンツ２６３は、静止画または動画の少なくともいずれかが表示される画像ペイン１８１と、文字が表示されるテロップペイン１８２とを含む。配信サーバ２０は、１以上の画像データ２６１と、１以上のテロップデータ２６２とを記憶する記憶部２０６を備える。
【０２１６】
サイネージ編集装置１０は、画像ペイン１８１に表示されるべき画像データ２６１の表示の設定およびテロップペイン１８２に表示されるべきテロップデータ２６２の表示の設定を示す番組情報１６１を記憶するための記憶部１０６と、番組情報１６１に示されるテロップデータを編集するための入力操作を受け付ける操作受付部１０３と、サイネージ編集装置１０の動作を制御するための制御部１０７とを備える。
【０２１７】
制御部１０７は、操作受付部１０３により受け付けたテロップデータ２６２の編集の内容に応じて番組情報１６１を更新する番組情報編集部１７１と、更新された番組情報１６１を配信サーバ２０へ送信する送信制御部１７２とを含む。
【０２１８】
配信サーバ２０は、サイネージ編集装置１０によって更新された番組情報１６１をサイネージ編集装置１０から受信する受信処理部２７１と、受信した番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３をサイネージ表示端末３０に配信する配信処理部２７３とを備える。
【０２１９】
サイネージ編集装置１０の番組情報編集部１７１は、テロップデータ２６２の編集を操作受付部１０３により受け付けた場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新する。
【０２２０】
これにより、サイネージ編集装置１０において、画像データ２６１とテロップデータ２６２の再生時間が同期するよう番組情報１６１が更新される。
【０２２１】
（１７）上記の実施の形態で説明した配信サーバ２０は、コンテンツを配信する配信サーバ２０と、コンテンツを再生するサイネージ表示端末３０と、コンテンツの構成を編集するサイネージ編集装置１０とを含むサイネージシステムを構成する。配信される配信コンテンツ２６３は、静止画または動画の少なくともいずれかが表示される画像ペイン１８１と、文字が表示されるテロップペイン１８２とを含む。配信サーバ２０は、１以上の画像データ２６１と、１以上のテロップデータ２６２とを記憶する記憶部２０６を備える。
【０２２２】
サイネージ編集装置１０は、画像ペイン１８１に表示されるべき画像データ２６１の表示の設定およびテロップペイン１８２に表示されるべきテロップデータ２６２の表示の設定を示す番組情報１６１とを記憶するための記憶部１０６と、番組情報１６１に示されるテロップデータ２６２を編集するための入力操作を受け付ける操作受付部１０３と、サイネージ編集装置１０の動作を制御するための制御部１０７とを備える。制御部１０７は、操作受付部１０３により受け付けたテロップデータ２６２の編集の内容に応じて番組情報１６１を更新する番組情報編集部１７１と、更新された番組情報１６１を配信サーバ２０へ送信する送信制御部１７２とを含む。
【０２２３】
配信サーバ２０は、サイネージ編集装置１０によって更新された番組情報１６１をサイネージ編集装置１０から受信する受信処理部２７１と、受信した番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３をサイネージ表示端末３０に配信する配信処理部２７３とを備える。コンテンツ生成部２７２は、受信処理部２７１により番組情報１６１をサイネージ編集装置１０から受信した場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新し、更新後の番組情報１６１に基づいてサイネージ用の配信コンテンツ２６３を生成する。
【０２２４】
これにより、配信サーバ２０側で、画像データとテロップデータの再生時間を同期させる処理を行うことができる。
【０２２５】
（１８）上記の実施の形態で説明したサイネージ編集装置１０は、コンテンツを配信する配信サーバ２０と、コンテンツを再生するサイネージ表示端末３０と、コンテンツの構成を編集してコンテンツを生成するサイネージ編集装置１０とを含むサイネージシステムを構成する。配信される配信コンテンツ２６３は、静止画または動画の少なくともいずれかが表示される画像ペイン１８１と、文字が表示されるテロップペイン１８２とを含む。
【０２２６】
サイネージ編集装置１０は、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するための記憶部１０７と、番組情報１６１に示されるテロップデータ２６２を編集するための入力操作を受け付ける操作受付部１０３と、サイネージ編集装置１０の動作を制御するための制御部１０７とを備える。
【０２２７】
制御部１０７は、操作受付部１０３により受け付けたテロップデータ２６２の編集の内容に応じて番組情報１６１を更新する番組情報編集部１７１と、更新された番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３を配信サーバ２０へ送信する送信制御部１７２とを含む。
【０２２８】
これにより、番組情報１６１を編集するための装置（サイネージ編集装置１０）において、配信コンテンツ２６３を生成することができる。
【０２２９】
（１９）上記の実施の形態で説明したコンテンツ管理装置１０Ｃは、コンテンツの構成を編集し、編集結果に基づきコンテンツを生成し、生成したコンテンツを配信するコンテンツ管理装置１０Ｃと、コンテンツを再生するサイネージ表示端末３０とを含むサイネージシステムを構成する。配信コンテンツ２６３は、静止画または動画の少なくともいずれかが表示される画像ペイン１８１と、文字が表示されるテロップペイン１８２とを含む。
【０２３０】
コンテンツ管理装置１０Ｃは、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するための記憶部１０６と、番組情報１６１に示されるテロップデータ２６２を編集するための入力操作を受け付ける操作受付部１０３と、コンテンツ管理装置１０Ｃの動作を制御するための制御部１０７とを備える。
【０２３１】
制御部１０７は、操作受付部１０３により受け付けたテロップデータの編集の内容に応じて番組情報１６１を更新する番組情報編集部１７１と、更新された番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３をサイネージ表示端末３０に表示させるため、コンテンツ管理装置１０Ｃの外部へ配信コンテンツ２６３を出力する配信処理部２７３とを含む。
【０２３２】
これにより、コンテンツ管理装置１０Ｃがコンテンツを配信するためのサーバとしての機能をも有するため、例えば、コンテンツ管理装置１０Ｃとサイネージ表示端末３０とが直接接続する通信環境において、サイネージシステムによる配信コンテンツ２６３の配信機能を利用することもできる。
【０２３３】
（２０）上記の実施の形態で説明したコンテンツ管理装置１０Ｃは、コンテンツの構成を編集し、編集結果に基づきコンテンツを生成し、生成したコンテンツを表示するものである。配信コンテンツ２６３は、静止画または動画の少なくともいずれかが表示される画像ペイン１８１と、文字が表示されるテロップペイン１８２とを含む。
【０２３４】
コンテンツ管理装置１０Ｃは、１以上の画像データ２６１と、１以上のテロップデータ２６２と、画像ペイン１８１に表示されるべき画像データ２６１の表示の設定およびテロップペインに表示されるべきテロップデータ２６２の表示の設定を示す番組情報１６１とを記憶するための記憶部１０６と、番組情報１６１に示されるテロップデータ２６２を編集するための入力操作を受け付ける操作受付部１０３と、ディスプレイ１０４と、コンテンツ管理装置１０Ｃの動作を制御するための制御部１０７とを備える。
【０２３５】
制御部１０７は、操作受付部１０３により受け付けたテロップデータ２６２の編集の内容に応じて番組情報１６１を更新する番組情報編集部１７１と、更新された番組情報１６１に基づいて、テロップデータ２６２の再生時間と画像データ２６１の再生時間とが同期した配信コンテンツ２６３を生成するコンテンツ生成部２７２と、生成された配信コンテンツ２６３をディスプレイ１−４へ表示する表示制御部２７４とを含む。
【０２３６】
これにより、コンテンツを編集する装置において、配信コンテンツ２６３を表示することができる。例えば、コンテンツ管理装置１０Ｃの他にディスプレイを有する機器を用意せずとも、番組情報１６１の更新と、コンテンツの生成と、コンテンツの表示を行うこと
ができる。
【０２３７】
（２１）上記の実施の形態で説明したサイネージシステムは、コンテンツを配信する配信サーバ２０と、コンテンツを再生するサイネージ表示端末３０と、コンテンツの構成を編集するサイネージ編集装置１０とにより構成される。配信される配信コンテンツ２６３は、静止画または動画の少なくともいずれかが表示される画像ペイン１８１と、文字が表示されるテロップペイン１８２とを含む。
【０２３８】
配信サーバ２０は、１以上の画像データ２６１と、１以上のテロップデータ２６２とを記憶する記憶部２０６を備える。サイネージ編集装置１０は、画像ペイン１８１に表示されるべき画像データ２６１の表示の設定およびテロップペイン１８２に表示されるべきテロップデータ２６２の表示の設定を示す番組情報１６１とを記憶するための記憶部１０６を備える。
【０２３９】
このサイネージシステムにおけるコンテンツ配信方法は、以下の各ステップを含む。すなわち、サイネージ編集装置１０が、番組情報１６１に示されるテロップデータ２６２を編集するための入力操作を受け付けるステップと、サイネージ編集装置１０が、入力操作を受け付けるステップにより受け付けたテロップデータ２６２の編集の内容に応じてテロップデータ２６２の再生時間を取得し、取得されたテロップデータの再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新することで番組情報１６１を更新するステップと、サイネージ編集装置１０が、更新された番組情報１６１を配信サーバ２０へ送信するステップと、配信サーバ２０が、サイネージ編集装置によって更新された番組情報１６１をサイネージ編集装置１０から受信するステップと、配信サーバ２０が、受信した番組情報１６１に基づいて、テロップデータ２６２の再生時間と画像データ２６１の再生時間とが同期したサイネージ用の配信コンテンツ２６３を生成するステップと、配信サーバ２０が、生成された配信コンテンツ２６３をサイネージ表示端末３０に配信するステップとを含む。
【０２４０】
これにより、サイネージ編集装置１０において、画像データ２６１とテロップデータ２６２の再生時間が同期するよう番組情報１６１が更新される。
【０２４１】
（２２）上記の実施の形態で説明したサイネージシステムは、コンテンツを配信する配信サーバ２０と、コンテンツを再生するサイネージ表示端末３０と、コンテンツの構成を編集するサイネージ編集装置１０とにより構成される。配信される配信コンテンツ２６３は、静止画または動画の少なくともいずれかが表示される画像ペイン１８１と、文字が表示されるテロップペイン１８２とを含む。
【０２４２】
配信サーバ２０は、１以上の画像データと、１以上のテロップデータとを記憶する記憶部２０６を備える。サイネージ編集装置１０は、画像ペイン１８１に表示されるべき画像データ２６１の表示の設定およびテロップペイン１８２に表示されるべきテロップデータ２６２の表示の設定を示す番組情報１６１とを記憶するための記憶部１０６を備える。
【０２４３】
このサイネージシステムにおけるコンテンツ配信方法は、以下の各ステップを含む。すなわち、サイネージ編集装置１０が、番組情報１６１に示されるテロップデータ２６２を編集するための入力操作を受け付けるステップと、サイネージ編集装置１０が、入力操作を受け付けるステップにより受け付けたテロップデータの編集の内容に応じて番組情報１６１を更新するステップと、サイネージ編集装置１０が、更新された番組情報１６１を配信サーバ２０へ送信するステップと、配信サーバ２０が、サイネージ編集装置１０によって更新された番組情報１６１をサイネージ編集装置１０から受信するステップと、配信サ
ーバ２０が、受信した番組情報１６１に基づいて、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新し、更新後の番組情報１６１に基づいてサイネージ用の配信コンテンツ２６３を生成するステップと、生成された配信コンテンツ２６３をサイネージ表示端末に配信するステップとを含む。
【０２４４】
これにより、配信サーバ２０側で、画像データとテロップデータの再生時間を同期させる処理を行うことができる。
【０２４５】
（２３）上記の実施の形態で説明したサイネージシステムは、コンテンツを配信する配信サーバ２０と、コンテンツを再生するサイネージ表示端末３０と、コンテンツの構成を編集してコンテンツを生成するサイネージ編集装置１０とにより構成される。
【０２４６】
配信される配信コンテンツ２６３は、静止画または動画の少なくともいずれかが表示される画像ペイン１８１と、文字が表示されるテロップペイン１８２とを含む。サイネージ編集装置１０は、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するための記憶部１０７を備える。
【０２４７】
このサイネージシステムにおけるコンテンツ配信方法は、以下の各ステップを含む。すなわち、サイネージ編集装置１０が、番組情報１６１に示されるテロップデータ２６２を編集するための入力操作を受け付けるステップと、サイネージ編集装置１０が、入力操作を受け付けるステップにより受け付けたテロップデータ２６２の編集の内容に応じて番組情報１６１を更新するステップと、サイネージ編集装置１０が、更新された番組情報１６１に基づいて、テロップデータ２６２の再生時間と画像データ２６１の再生時間とが同期したサイネージ用の配信コンテンツ２６３を生成するステップと、サイネージ編集装置１０が、生成された配信コンテンツ２６３を配信サーバ２０へ送信するステップと、配信サーバ２０が、サイネージ編集装置１０によって生成された配信コンテンツ２６３を受信するステップと、配信サーバ２０が、受信した配信コンテンツ２６３をサイネージ表示端末３０に配信するステップとを含む。
【０２４８】
これにより、番組情報１６１を編集するための装置（サイネージ編集装置１０）において、配信コンテンツ２６３を生成することができる。
【０２４９】
（２４）上記の実施の形態で説明したサイネージシステムは、コンテンツの構成を編集し、編集結果に基づき配信コンテンツ２６３を生成し、生成した配信コンテンツ２６３を配信するコンテンツ管理装置１０Ｃと、配信コンテンツ２６３を再生するサイネージ表示端末３０とにより構成される。配信コンテンツ２６３は、静止画または動画の少なくともいずれかが表示される画像ペイン１８１と、文字が表示されるテロップペイン１８２とを含む。
【０２５０】
コンテンツ管理装置１０Ｃは、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するための記憶部１０６を備える。
【０２５１】
サイネージシステムにおけるコンテンツ配信方法は、以下の各ステップを含む。すなわ
ち、コンテンツ管理装置１０Ｃが、番組情報１６１に示されるテロップデータ２６２を編集するための入力操作を受け付けるステップと、コンテンツ管理装置１０Ｃが、入力操作を受け付けるステップにより受け付けたテロップデータ２６２の編集の内容に応じて番組情報１６１を更新するステップと、コンテンツ管理装置１０Ｃが、更新された番組情報１６１に基づいて、テロップデータ２６２の再生時間と画像データ２６１の再生時間とが同期したサイネージ用の配信コンテンツ２６３を生成するステップと、コンテンツ管理装置１０Ｃが、生成された配信コンテンツ２６３をサイネージ表示端末３０へ配信するステップと、サイネージ表示端末３０が、コンテンツ管理装置１０Ｃから配信される配信コンテンツ２６３を受信するステップと、サイネージ表示端末３０が、受信した配信コンテンツ２６３を表示するためのステップとを含む。
【０２５２】
これにより、コンテンツ管理装置１０Ｃがコンテンツを配信するためのサーバとしての機能をも有するため、例えば、コンテンツ管理装置１０Ｃとサイネージ表示端末３０とが直接接続する通信環境において、サイネージシステムによる配信コンテンツ２６３の配信機能を利用することもできる。
【０２５３】
（２５）別の実施形態に従うと、コンテンツを配信する配信サーバ２０と、コンテンツを再生するサイネージ表示端末３０と、コンテンツの構成を編集するサイネージ編集装置１０とを含むサイネージシステムを構成するサイネージ編集装置１０の動作を制御するためのプログラムが提供される。
【０２５４】
配信される配信コンテンツ２６３は、静止画または動画の少なくともいずれかが表示される画像ペイン１８１と、文字が表示されるテロップペイン１８２とを含む。配信サーバ２０は、１以上の画像データ２６１と、１以上のテロップデータ２６２とを記憶する記憶部２０６を備える。サイネージ編集装置１０は、プロセッサにより構成される制御部１０７と、メモリにより構成される記憶部１０６とを備え、記憶部１０６は、画像ペイン１８１に表示されるべき画像データ２６１の表示の設定およびテロップペイン１８２に表示されるべきテロップデータ２６２の表示の設定を示す番組情報１６１とを記憶するよう構成されている。
【０２５５】
プログラムは、制御部１０７に、番組情報１６１に示されるテロップデータ２６２を編集するための入力操作を受け付けるステップと、入力操作を受け付けるステップにより受け付けたテロップデータ２６２の編集の内容に応じて番組情報１６１を更新するステップと、更新された番組情報１６１を配信サーバ２０へ送信するステップとを実行させる。
【０２５６】
配信サーバ２０は、サイネージ編集装置１０によって更新された番組情報１６１をサイネージ編集装置１０から受信する受信処理部２７１と、受信した番組情報１６１に基づいて、テロップデータ２６２の再生時間と画像データ２６１の再生時間とが同期したサイネージ用の配信コンテンツ２６３を生成するコンテンツ生成部２７２と、生成された配信コンテンツ２６３をサイネージ表示端末３０に配信する配信処理部２７３とを備える。
【０２５７】
プログラムは、制御部１０７に、テロップデータ２６２の編集を受け付けた場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新するステップを実行させる。
【０２５８】
これにより、サイネージ編集装置１０において、画像データ２６１とテロップデータ２６２の再生時間が同期するよう番組情報１６１が更新される。
【０２５９】
（２６）別の実施形態に従うと、コンテンツを配信する配信サーバ２０と、コンテンツを再生するサイネージ表示端末３０と、コンテンツの構成を編集するサイネージ編集装置１０とを含むサイネージシステムを構成する配信サーバ２０の動作を制御するためのプログラムが提供される。
【０２６０】
配信される配信コンテンツ２６３は、静止画または動画の少なくともいずれかが表示される画像ペイン１８１と、文字が表示されるテロップペイン１８２とを含む。配信サーバ２０は、プロセッサにより構成される制御部２０７と、メモリにより構成される記憶部２０６とを備える。記憶部２０６は、１以上の画像データ２６１と、１以上のテロップデータ２６２とを記憶するよう構成されている。
【０２６１】
サイネージ編集装置１０は、画像ペイン１８１に表示されるべき画像データ２６１の表示の設定およびテロップペイン１８２に表示されるべきテロップデータ２６２の表示の設定を示す番組情報１６１とを記憶するための記憶部１０６と、番組情報１６１に示されるテロップデータ２６２を編集するための入力操作を受け付ける操作受付部１０３と、サイネージ編集装置１０の動作を制御するための制御部１０７とを備える。
【０２６２】
制御部１０７は、操作受付部１０３により受け付けたテロップデータ２６２の編集の内容に応じて番組情報１６１を更新する番組情報編集部１７１と、更新された番組情報１６１を配信サーバ２０へ送信する送信制御部１７２とを含む。
【０２６３】
プログラムは、制御部２０７に、サイネージ編集装置１０によって更新された番組情報１６１をサイネージ編集装置１０から受信するステップと、受信した番組情報１６１に基づいて、テロップデータ２６２の再生時間と画像データ２６１の再生時間とが同期したコンテンツを生成するステップと、生成されたコンテンツをサイネージ表示端末３０に配信するステップとを実行させる。
【０２６４】
プログラムは、制御部２０７に、番組情報１６１をサイネージ編集装置１０から受信した場合に、テロップデータ２６２の再生時間を取得し、取得されたテロップデータ２６２の再生時間と、番組情報１６１に示される画像データ２６１の再生時間とが同期するよう、番組情報１６１の画像データ２６１の表示の設定とテロップデータ２６２の表示の設定とのうち少なくともいずれか一方を更新し、更新後の番組情報１６１に基づいてコンテンツを生成するステップを実行させる。
【０２６５】
これにより、配信サーバ２０側で、画像データとテロップデータの再生時間を同期させる処理を行うことができる。
【０２６６】
（２７）別の実施形態に従うと、コンテンツを配信する配信サーバ２０と、コンテンツを再生するサイネージ表示端末３０と、コンテンツの構成を編集してコンテンツを生成するサイネージ編集装置１０とにより構成されるサイネージシステムのサイネージ編集装置１０の動作を制御するためのプログラムが提供される。配信される配信コンテンツ２６３は、静止画または動画の少なくともいずれかが表示される画像ペイン１８１と、文字が表示されるテロップペイン１８２とを含む。
【０２６７】
サイネージ編集装置１０は、プロセッサにより構成される制御部１０７と、メモリにより構成される記憶部１０６とを備え、記憶部１０６は、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するよう構成されている。
【０２６８】
プログラムは、制御部１０７に、番組情報１６１に示されるテロップデータ２６２を編集するための入力操作を受け付けるステップと、入力操作を受け付けるステップにより受け付けたテロップデータ２６２の編集の内容に応じて番組情報１６１を更新するステップと、更新された番組情報１６１に基づいて、テロップデータ２６２の再生時間と画像データ２６１の再生時間とが同期したコンテンツを生成するステップと、生成されたコンテンツを配信サーバ２０へ送信するステップとを実行させる。
【０２６９】
これにより、番組情報１６１を編集するための装置（サイネージ編集装置１０）において、配信コンテンツ２６３を生成することができる。
【０２７０】
（２８）別の実施形態に従うと、コンテンツの構成を編集し、編集結果に基づき配信コンテンツ２６３を生成し、生成した配信コンテンツ２６３を配信するコンテンツ管理装置１０Ｃと、コンテンツを再生するサイネージ表示端末３０とを含むサイネージシステムを構成するコンテンツ管理装置１０Ｃの動作を制御するためのプログラムが提供される。配信される配信コンテンツ２６３は、静止画または動画の少なくともいずれかが表示される画像ペイン１８１と、文字が表示されるテロップペイン１８２とを含む。
【０２７１】
コンテンツ管理装置１０Ｃは、プロセッサにより構成される制御部１０７と、メモリにより構成される記憶部１０６とを備え、記憶部１０６は、１以上の画像データ２６１と、１以上のテロップデータ２６２と、画像ペイン１８１に表示されるべき画像データ２６１の表示の設定およびテロップペイン１８２に表示されるべきテロップデータ２６２の表示の設定を示す番組情報１６１とを記憶するよう構成されている。
【０２７２】
プログラムは、制御部１０７に、番組情報１６１に示されるテロップデータ２６２を編集するための入力操作を受け付けるステップと、入力操作を受け付けるステップにより受け付けたテロップデータ２６２の編集の内容に応じて番組情報１６１を更新するステップと、更新された番組情報１６１に基づいて、テロップデータ２６２の再生時間と画像データ２６１の再生時間とが同期したコンテンツを生成するステップと、生成されたコンテンツをサイネージ表示端末３０へ配信するステップとを実行させる。
【０２７３】
これにより、コンテンツ管理装置１０Ｃがコンテンツを配信するためのサーバとしての機能をも有するため、例えば、コンテンツ管理装置１０Ｃとサイネージ表示端末３０とが直接接続する通信環境において、サイネージシステムによる配信コンテンツ２６３の配信機能を利用することもできる。
【０２７４】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０２７５】
１  サイネージシステム、１０  サイネージ編集装置、２０  配信サーバ、３０  サイネージ表示端末、９０  ネットワーク、１０１  アンテナ、１０２  通信処理部、１０３
操作受付部、１０４  ディスプレイ、１０５  入出力Ｉ／Ｆ、１０６  記憶部、１０７
制御部、１４１  プレビュー画面、１４２  トランジションリスト、１４３  テロップデータ、１４４  ファイルリスト、１４５  テロップデータリスト、１４６  プログラム編集部、１４７  プレビュー表示位置、１４８  コンテンツ生成部、１５１  テキスト本文、１５２  テロップ表示位置指定部、１５３  指定位置、１５４  テロップデータ編集部、１６１  番組情報、１６２  ファイル編成情報、１６３  ファイル−テロップ対応テーブル、１７１  番組情報編集部、１７２  送信制御部、１８１  画像ペイン、１８２  
テロップペイン、２０２  通信処理部、２０５  入出力Ｉ／Ｆ、２０６  記憶部、２０７
制御部、２６１  画像データ、２６２  テロップデータ、２６３  配信コンテンツ、２６４  配信スケジュール情報、２７１  受信処理部、２７２  コンテンツ生成部、２７３
配信処理部、２７４  表示制御部、３０２  通信処理部、３０４  タッチスクリーン、３０６  記憶部、３０７  制御部、３６１  配信コンテンツ、３６２  配信スケジュール情報、３７１  受信処理部、３７２  表示制御部。
【図１】
2015070601.tif 000003
【図２】
2015070601.tif 000004
【図３】
2015070601.tif 000005
【図４】
2015070601.tif 000006
【図５】
2015070601.tif 000007
【図６】
2015070601.tif 000008
【図７】
2015070601.tif 000009
【図８】
2015070601.tif 000010
【図９】
2015070601.tif 000011
【図１０】
2015070601.tif 000012
【図１１】
2015070601.tif 000013
【図１２】
2015070601.tif 000014
【図１３】
2015070601.tif 000015
【図１４】
2015070601.tif 000016
【図１５】
2015070601.tif 000017
【図１６】
2015070601.tif 000018
【図１７】
2015070601.tif 000019
【図１８】
2015070601.tif 000020
【図１９】
2015070601.tif 000021
【図２０】
2015070601.tif 000022
【図２１】
2015070601.tif 000023
【図２２】
2015070601.tif 000024
【図２３】
2015070601.tif 000025
【図２４】
2015070601.tif 000026
【図２５】
2015070601.tif 000027